(57)【要約】デバイス充電器が提供される。デバイス充電器は、通過する電気取り出しコンセントサイズの開口を有するフェースプレートであって、電気回路を備える、フェースプレートと、フェースプレートの後側から延びる第１の本体であって、ＡＣ−ＤＣ電源を備える、第１の本体と、フェースプレートの後側から延びる第２の本体であって、第１の本体および第２の本体は、１つ以上のそれぞれの電気取り出しコンセント端子に電気的に接触するように配置されたそれぞれの電気接点を含み、それぞれの電気接点は、フェースプレートの電気回路を少なくとも部分的に介して、１つ以上のそれぞれの電気取り出しコンセント端子からＡＣ−ＤＣ電源のＡＣ入力へ交流を供給するように構成される、第２の本体と、フェースプレートの前側に位置し、ＡＣ−ＤＣ電源のＤＣ出力に接続された少なくとも１つの電気コネクタであって、それに接続された外部装置にＤＣ電力を供給するための、少なくとも１つの電気コネクタ、を含む。【選択図】図１
2021518740.tif 000002
【特許請求の範囲】
【請求項１】
デバイスであって、
通過する電気取り出しコンセントサイズの開口を有するフェースプレートであって、電気回路を備える、フェースプレートと、
前記フェースプレートの後側から延びる第１の本体であって、ＡＣ−ＤＣ（交流−直流）電源を備える、第１の本体と、
前記フェースプレートの後側から延びる第２の本体と、
を含み、
前記第１の本体および前記第２の本体は、１つ以上のそれぞれの電気取り出しコンセント端子に電気的に接触するように配置されたそれぞれの電気接点を含み、それぞれの電気接点は、前記フェースプレートの電気回路を少なくとも部分的に介して、１つ以上のそれぞれの電気取り出しコンセント端子からＡＣ−ＤＣ電源のＡＣ入力へ交流を供給するように構成され、
前記フェースプレートの前側に位置し、ＡＣ−ＤＣ電源のＤＣ出力に接続された少なくとも１つの電気コネクタであって、それに接続された外部装置にＤＣ電力を供給するための、少なくとも１つの電気コネクタ、
を含む、デバイス。
【請求項２】
前記第１の本体および前記第２の本体は結合されている、請求項１に記載のデバイス。
【請求項３】
前記第１の本体および前記第２の本体の各々は剛性である、請求項１に記載のデバイス。
【請求項４】
前記少なくとも１つの電気コネクタは、１つ以上の充電ポートを備える、請求項１に記載のデバイス。
【請求項５】
前記１つ以上の充電ポートは、第１のタイプの第１の充電ポートおよび第２のタイプの第２の充電ポートを含む、請求項４に記載のデバイス。
【請求項６】
前記第１の本体および前記第２の本体は、前記電気取り出しコンセントサイズの開口の互いに反対側に配置される、請求項１に記載のデバイス。
【請求項７】
前記第１の本体および前記第２の本体の各々は、前記フェースプレートの後側の法線からそれぞれ非ゼロの角度にあり、前記電気取り出しコンセントサイズの開口から離れて延びる、請求項６に記載のデバイス。
【請求項８】
前記第２の本体はバッテリを含む、請求項１に記載のデバイス。
【請求項９】
前記少なくとも１つの電気コネクタは、外部装置の１つ以上の異なる充電ポートタイプに接続するための１つ以上のコネクタを含み、前記１つ以上のコネクタは、前記第２の本体に配置された格納式コードに取り付けられ、前記格納式コードは、前記フェースプレートを介して１つ以上のコネクタをＤＣ出力に接続する、請求項１に記載のデバイス。
【請求項１０】
前記第２の本体は、前記格納式コードを延伸および格納するための格納機構を備える、請求項９に記載のデバイス。
【請求項１１】
前記格納機構は、
第１の歯車であって、格納式コードが周囲に巻き付けられるスピンドルと、前記フェースプレートの電気回路を介したＡＣ−ＤＣ電源のＤＣ出力との電気的通信において、格納式コードから対称的同心マルチリングスリップリングへのスピンドル周囲のそれぞれの電気接続と、を含む、第１の歯車と、
前記第１の歯車と連動する第２の歯車であって、前記第１の歯車に張力を提供して、第２の歯車が第１の歯車を回転させて格納式コードを格納するばね機構を含む、第２の歯車と、
を備える、請求項１０に記載のデバイス。
【請求項１２】
前記対称的同心マルチリングスリップリングは、前記第１の歯車と前記対称的同心マルチリングスリップリングの導電リングとの間に安定性を提供するように配置された複数のプロングを備える、請求項１１に記載のデバイス。
【請求項１３】
前記格納機構は、
前記格納式コードが延伸するときに、前記第１の歯車および前記第２の歯車の１つ以上が前記格納式コードを格納するのを防止するラチェットと、
前記フェースプレートの前側にあり、前記ラチェットに機械的に接続されたボタンであって、前記ボタンが作動されると、前記第２の歯車が前記ばね機構を介して回転して、前記第１の歯車が格納式コードをスピンドル周囲に巻き付けて格納させるように、前記ラチェットを解除するように構成される、ボタンと、
をさらに備える、請求項１１に記載のデバイス。
【請求項１４】
前記第２の歯車の第２の歯に対する、前記第１の歯車の第１の歯の比が、１超、１未満、または１である、請求項１１に記載のデバイス。
【請求項１５】
前記１つ以上のコネクタは、第１のコネクタおよび第２のコネクタを備えるＴ字形コネクタから互いに約１８０°で延びる、請求項９に記載のデバイス。
【請求項１６】
前記Ｔ字形コネクタは、前記第１のコネクタおよび前記第２のコネクタの各々と通信する電気回路をさらに備え、前記電気回路は、
第１の外部装置が前記第１のコネクタに接続されたことを検出し、
第２の外部装置が前記第２のコネクタに接続されたことを検出する、
請求項１５に記載のデバイス。
【請求項１７】
前記第１のコネクタおよび前記第２のコネクタは、異なるタイプである、請求項１５に記載のデバイス。
【請求項１８】
前記格納式コードが格納されたときに前記Ｔ字形コネクタが存在する、前記フェースプレートの前側の凹部をさらに備える、請求項１５に記載のデバイス。
【請求項１９】
前記凹部に格納されたときにＴ字形コネクタを覆う可撓性カバーを前記Ｔ字形コネクタ上にさらに備え、前記可撓性カバーは、前記第１のコネクタを覆うための第１のフラップと、前記第２のコネクタを覆うための第２のフラップとを備え、前記第１のフラップおよび前記第２のフラップは各々、約９０°折り畳まれて、外部装置が前記第１のコネクタまたは前記第２のコネクタにそれぞれ接続できるように構成される、請求項１８に記載のデバイス。
【請求項２０】
前記ＡＣ−ＤＣ電源は、電圧供給型バックプラスプッシュプルトポロジ、電流供給バックプラスプッシュプルトポロジ、マルチフェーズフライバックトポロジ、バックプラスハーフブリッジトポロジ、バックプラスフルブリッジトポロジ、およびフォワードコンバータトポロジ、のうちの１つを備える、請求項１に記載のデバイス。
【請求項２１】
前記ＡＣ−ＤＣ電源は、
ＡＣ入力に電気的に接続された全波整流器と、
前記全波整流器と通信して、整流されたＡＣ電圧をより低い電圧に降圧するバックレギュレータと、
前記バックレギュレータと通信して、低電圧整流ＡＣ電圧のデューティサイクルを制御するチョッパ回路と、前記チョッパ回路と通信して、低電圧整流ＡＣ電圧の電圧をさらに下げる平面変圧器と、で構成されるプッシュプルコンバータと、
前記平面変圧器と通信し、平面変圧器の電気出力を直流電圧に変換する整流器であって、前記ＡＣ−ＤＣ電源のＤＣ出力は、前記整流器の出力を含む、整流器と、
前記ＤＣ出力と前記バックレギュレータとの間のフィードバック回路であって、前記バックレギュレータのより低い電圧出力を制御することによって前記整流器からの直流電圧出力を制御する、フィードバック回路と、
を備える、請求項１に記載のデバイス。
【請求項２２】
前記ＡＣ−ＤＣ電源は、前記平面変圧器の一次回路と二次回路との間の分離を維持するために、前記フィードバック回路と前記バックレギュレータとの間に光カプラをさらに備える、請求項２１に記載のデバイス。
【請求項２３】
前記平面変圧器は、
高さ６．５ｍｍ未満の磁気コアと、
一次回路であって、前記磁気コアと統合されたプリント回路基板（ＰＣＢ）上の複数の一次コイルを備え、複数の一次コイルの各々は中心および外端を有するスパイラル形状であり、最初の一次コイルおよび最後の一次コイルのそれぞれの外端はチョッパ回路との通信し、隣接する一次コイルは、中心から中心または外端から外端に接続され、複数の一次コイルは、磁気コアの中心部分の周りに同じ螺旋方向の第１の連続回路として一次回路を形成する、一次回路と、
二次回路であって、前記磁気コアの周りに複数の二次コイルを備え、複数の二次コイルの各々は円形であり、磁気コアの中心部分の周りに第２の連続回路として二次回路を形成するために接続され、最初の二次コイルおよび最後の二次コイルのそれぞれの端は整流器と通信する、二次回路と、
前記複数の一次コイルおよび前記複数の二次コイルの各々の間の絶縁材料と、
を備える、請求項２１に記載のデバイス。
【請求項２４】
前記平面変圧器は、前記磁気コアの中央部分の周りに、
絶縁材料の第１の層、
第１の一次コイル、
絶縁材料の第２の層、
第１の二次コイル、
絶縁材料の第３の層、
第２の二次コイル、
絶縁材料の第４の層、
第２の一次コイル、
絶縁材料の第５の層、
第３の一次コイル、
絶縁材料の第６の層、
第３の二次コイル、
絶縁材料の第７の層、
第４の二次コイル、
絶縁材料の第８の層、
第４の一次コイル、
絶縁材料の第９の層、
を備える、請求項２３に記載のデバイス。
【請求項２５】
前記平面変圧器のそれぞれの層の各厚さは、前記一次回路を前記二次回路から分離し、同じタイプのコイル間の分離を最小にし、異なるタイプのコイル間の分離を最大にするように選択される、請求項２３に記載のデバイス。
【請求項２６】
前記平面変圧器は、個々の２層プリント回路基板（ＰＣＢ）のコイルの層、または２つ以上の多層ＰＣＢを含む、請求項２３に記載のデバイス。
【請求項２７】
前記平面変圧器は難燃剤４（ＦＲ−４）材料を含む、請求項２３に記載のデバイス。
【請求項２８】
前記平面変圧器は、前記チョッパ回路に電力を供給するように構成された補助コイルをさらに備える、請求項２３に記載のデバイス。
【請求項２９】
前記ＡＣ−ＤＣ電源は、前記チョッパ回路に電力を供給するように構成された補助低電圧電源をさらに備える、請求項２１に記載のデバイス。
【請求項３０】
前記ＡＣ−ＤＣ電源のコンポーネントがプリント回路基板（ＰＣＢ）上に配置され、それぞれのコンポーネントがＰＣＢの厚さよりも大きいものの１つ以上であり、非表面実装可能であり、およびＰＣＢ上の所定の最大高さを超えるときに、それぞれのコンポーネントは、電力損失の最小化を支援するためにＰＣＢのカットアウトに配置される、請求項２１に記載のデバイス。
【請求項３１】
前記整流器は同期整流器を含む、請求項２１に記載のデバイス。
【請求項３２】
前記ＡＣ−ＤＣ電源のコンポーネントは、プリント回路基板（ＰＣＢ）上に配置され、オーバーモールド材料に挟まれている、請求項２１に記載のデバイス。
【請求項３３】
前記フェースプレートの前記電気回路は、
前記それぞれの電気接点から前記ＡＣ入力へ交流を供給する第１の電気配線と、
前記ＤＣ出力から格納式コードへの第２の電気配線と、
前記ＤＣ出力からバッテリへの第３の電気配線と、
外部接続、外部監視、外部制御および外部プログラミングのうちの１つ以上を提供するワイヤレスローカルエリアネットワークワイヤレスアンテナと、
内部デバイス監視、内部および外部の電力振幅の監視および変調、内部電源スイッチング、および内部デバイス制御のうちの１つ以上用に構成された１つ以上のコントローラおよびマイクロコントローラユニット（ＭＣＵ）と、
それぞれの外部装置が接続されていないときに、ＤＣ出力からの電力が少なくとも１つの電気コネクタにルーティングされないように構成されるルーティング回路であって、そのため、単一の外部装置が単一の電気コネクタに接続され、追加の外部装置が他の電気コネクタに接続されていないときに、ＤＣ出力からの電力が単一の電気コネクタのみにルーティングされる、ルーティング回路と、
少なくとも１つの電気コネクタが最初にオンボードバッテリ電力貯蔵部から少なくとも１つの電気コネクタに電力を供給し、次にＡＣ−ＤＣ電源から少なくとも１つの電気コネクタに電力を供給するための負荷モニタと、
ＭＣＵがバッテリ内の利用可能な電力貯蔵容量を決定するときに、ＭＣＵがオンボードバッテリ電力貯蔵部を監視および充電するバッテリモニタおよび充電器と、
出力電圧を維持するためのＤＣ−ＤＣブースタ回路と、
のうちの１つ以上を備える、請求項１に記載のデバイス。
【発明の詳細な説明】
【技術分野】
【０００１】
［関連出願の相互参照］
本願は、２０１８年３月２３日に出願された米国仮特許出願第６２／６４６９０９号、および２０１８年５月７日に出願された米国仮特許出願第６２／６６７６８４号の優先権を主張する。上記の各出願の内容は、参照により本明細書に組み込まれる。
【背景技術】
【０００２】
携帯電話、モバイルデバイス、タブレット、ラップトップなどの電子デバイスの充電は、壁の電気取り出しコンセントに差し込む専用の充電ユニットを使用して実行されることがよくある。しかしながら、そのような専用の充電ユニットは、容易に紛失したりおよび／または忘れたりおよび／または一般に利用できない可能性がある。さらに、このような専用の充電ユニットには、コードが含まれていたりおよび／またはコードが必要な場合が多いため、コードが煩雑になることがある。
【発明の概要】
【課題を解決するための手段】
【０００３】
本明細書で説明される様々な実施形態をよりよく理解し、それらがどのように実施され得るかをより明確に示すために、ここで、例としてのみ添付の図面を参照する。
【図面の簡単な説明】
【０００４】
【図１】図１は、非限定的な実施形態による、デバイス充電器の正面図を示す。
【図２】図２は、非限定的な実施形態による、デバイス充電器の背面図を示す。
【図３】図３は、非限定的な実施形態による、デバイス充電器の右側面図を示す。
【図４】図４は、非限定的な実施形態による、デバイス充電器の左側面図を示す。
【図５】図５は、非限定的な実施形態による、デバイス充電器の底面図を示す。
【図６】図６は、非限定的な実施形態による、デバイス充電器の上面図を示す。
【図７】図７は、非限定的な実施形態による、電気取り出しコンセントとともに使用されるデバイス充電器の正面図を示す。
【図８】図８は、非限定的な実施形態による、電気取り出しコンセントとともに使用されるデバイス充電器の上面図を示す。
【図９】図９は、非限定的な実施形態による、デバイス充電器の電気接点と電気取り出しコンセントの交流端子との間の相互作用を示すために電気取り出しコンセントの一部が取り外された、電気取り出しコンセントとともに使用中のデバイス充電器の斜視図を示す。
【図１０Ａ】図１０Ａは、非限定的な実施形態による、デバイス充電器の電気接点および電気取り出しコンセントの交流端子の斜視図を示す。
【図１０Ｂ】図１０Ｂは、非限定的な実施形態による、デバイス充電器の電気接点および電気取り出しコンセントの交流端子の側面図を示す。
【図１０Ｃ】図１０Ｃは、非限定的な実施形態による、デバイス充電器の代替の電気接点の斜視図を示す。
【図１１】図１１は、非限定的な実施形態による、デバイス充電器の電気コンポーネントの概略図を示す。
【図１２】図１２は、非限定的な実施形態による、バッテリを含むデバイス充電器の電気部品の概略図を示す。
【図１３Ａ】図１３Ａは、非限定的な実施形態による、図１のデバイス充電器と共に使用され得る電源の概略図を示す。
【図１３Ｂ】図１３Ｂは、非限定的な実施形態による、図１のデバイス充電器と共に使用され得る代替電源の概略図を示す。
【図１４】図１４は、非限定的な実施形態による、図１のデバイス充電器と共に使用され得る平面変圧器を示す。
【図１５】図１５は、非限定的な実施形態による、図１４の平面変圧器の一次回路および二次回路の概略図を示す。
【図１６】図１６は、非限定的な実施形態による、図１４の平面変圧器の一次回路および二次回路、並びに任意の補助コイルの層を示す。
【図１７】図１７は、非限定的な実施形態による、図１のデバイス充電器と共に使用され得る格納機構を示す。
【図１８】図１８は、非限定的な実施形態による、図１７の格納機構の歯車の側面図を示す。
【図１９Ａ】図１９Ａは、非限定的な実施形態による、図１７の格納機構の第１の歯車と共に使用されるプリント回路基板（ＰＣＢ）の一部を示す。
【図１９Ｂ】図１９Ｂは、非限定的な実施形態による、図１７の格納機構のＰＣＢに隣接する第１の歯車の側面図を示す。
【図２０】図２０は、非限定的な実施形態による、スリップリングで使用される第１の歯車のプロングを示す。
【図２１】図２１は、非限定的な実施形態による、延長されたＴ字形コネクタを有するデバイス充電器の正面図を示す。
【図２２】図２２は、非限定的な実施形態による、外部装置と共に使用中のＴ字形コネクタを示す。
【図２３Ａ】図２３Ａは、非限定的な実施形態による、代替デバイス充電器の上面図を示す。
【図２３Ｂ】図２３Ｂは、非限定的な実施形態による、代替デバイス充電器の上面図を示す。
【図２４】図２４は、非限定的な実施形態による、代替デバイス充電器の正面図を示す。
【図２５】図２５は、非限定的な実施形態による、代替のデバイス充電器の正面斜視図を示す。
【図２６Ａ】図２６Ａは、非限定的な実施形態による、代替デバイス充電器の正面図を示す。
【図２６Ｂ】図２６Ｂは、非限定的な実施形態による、代替デバイス充電器の正面図を示す。
【図２６Ｃ】図２６Ｃは、非限定的な実施形態による、代替デバイス充電器の正面図を示す。
【図２６Ｄ】図２６Ｄは、非限定的な実施形態による、代替デバイス充電器の正面図を示す。
【図２７Ａ】図２７Ａは、非限定的な実施形態による、代替デバイス充電器の正面図を示す。
【図２７Ｂ】図２７Ｂは、非限定的な実施形態による、代替デバイス充電器の正面図を示す。
【図２７Ｃ】図２７Ｃは、非限定的な実施形態による、代替デバイス充電器の正面図を示す。
【図２７Ｄ】図２７Ｄは、非限定的な実施形態による、代替デバイス充電器の正面図を示す。
【発明を実施するための形態】
【０００５】
モバイル機器、携帯電話、タブレット、ラップトップなどの電子機器の充電は、壁の電気取り出しコンセントに差し込む専用の充電ユニットを使用して実行されることがよくある。しかしながら、そのような専用の充電ユニットは、容易に紛失したり、忘れられたり、および／または一般に入手できない可能性がある。さらに、そのような専用の充電ユニットは、しばしばコードを含み、および／またはコードを必要とするため、コードが煩雑になる可能性がある。
【０００６】
本明細書の一態様は、デバイスであって、通過する電気取り出しコンセントサイズの開口を有するフェースプレートであって、電気回路を備える、フェースプレートと、フェースプレートの後側から延びる第１の本体であって、ＡＣ−ＤＣ（交流−直流）電源を備える、第１の本体と、フェースプレートの後側から延びる第２の本体であって、第１の本体および第２の本体は、１つ以上のそれぞれの電気取り出しコンセント端子に電気的に接触するように配置されたそれぞれの電気接点を含み、それぞれの電気接点は、フェースプレートの電気回路を少なくとも部分的に介して、１つ以上のそれぞれの電気取り出しコンセント端子からＡＣ−ＤＣ電源のＡＣ入力へ交流を供給するように構成される、第２の本体と、フェースプレートの前側に位置し、ＡＣ−ＤＣ電源のＤＣ出力に接続された少なくとも１つの電気コネクタであって、それに接続された外部装置にＤＣ電力を供給するための、少なくとも１つの電気コネクタ、を含む、デバイスを提供する。
【０００７】
本明細書の別の態様は、第１の歯車であって、格納式コードが周囲に巻き付けられるスピンドルと、フェースプレートの電気回路を介したＡＣ−ＤＣ電源のＤＣ出力との電気的通信（ｅｌｅｃｔｒｉｃａｌ  ｃｏｍｍｕｎｉｃａｔｉｏｎ）において、格納式コードから対称的同心マルチリングスリップリングへのスピンドル周囲のそれぞれの電気接続と、を含む、第１の歯車と、第１の歯車と連動する第２の歯車であって、前記第１の歯車に張力を提供して、第２の歯車が第１の歯車を回転させて格納式コードを格納するばね機構を含む、第２の歯車と、を備える、格納機構を提供する。
【０００８】
本明細書の別の態様は、交流（ＡＣ）入力、直流（ＤＣ）出力、ＡＣ入力に電気的に接続された全波整流器と、全波整流器と通信して、整流されたＡＣ電圧をより低い電圧に降圧するバックレギュレータと、バックレギュレータと通信して、低電圧整流ＡＣ電圧のデューティサイクルを制御するチョッパ回路と、チョッパ回路と通信して、低電圧整流ＡＣ電圧の電圧をさらに下げる平面変圧器と、で構成されるプッシュプルコンバータと、平面変圧器と通信し、平面変圧器の電気出力を直流電圧に変換する整流器であって、ＡＣ−ＤＣ電源のＤＣ出力は、整流器の出力を含む、整流器と、ＤＣ出力とバックレギュレータとの間のフィードバック回路であって、バックレギュレータのより低い電圧出力を制御することによって整流器からの直流電圧出力を制御する、フィードバック回路と、を備える、電源を提供する。
【０００９】
次に、図１、図２、図３、図５、図５および図６に注目すると、それらは、デバイス充電器１０１（以下、互換的にデバイス１０１と呼ぶ）の正面図、背面図、右側面図、左側面図、底面図、および上面図を示す。以下で詳細に説明するように、デバイス１０１は、一般に、電気取り出しコンセントが既に設置され、主電源に接続されているジャンクションボックス（例えば、北米サイズのジャンクションボックス）に設置するように構成されている。特に、既存のフェースプレートはジャンクションボックスから取り外され得、デバイス１０１は、取り外されたフェースプレートの代わりにジャンクションボックスに挿入および／または取り付けられ得る。デバイス１０１がジャンクションボックスに挿入されると、デバイス１０１の電気接点は、電気取り出しコンセントの各々の電気取り出しコンセント端子（例えば、具体的には電気取り出しコンセントの側方の電気端子）に接触し、デバイス１０１の後側から延びる第１の本体に配置されたデバイス１０１の電源に交流（ＡＣ）電力を提供し、ＡＣ電力は少なくとも部分的にデバイス１０１のフェースプレートを通して送られる。デバイス充電器の電源は、ＡＣ電力を直流（ＤＣ）電力に変換し、ＤＣ電力は、デバイス１０１の前側の電気コネクタに送られる。電気コネクタは、格納式コードに取り付けられた１つ以上の電気ポートおよび／または１つ以上のコネクタ（例えば、雄コネクタ）を含むことができる。格納式コードを含む例では、格納式コード用の格納機構は、やはりデバイス１０１の後側から延びる第２の本体に含まれてもよい。次に、デバイス１０１をより詳細に説明する。
【００１０】
図示のように、デバイス１０１は、それを通る電気取り出しコンセントサイズの開口部１０５（以下、互換的に開口部１０５と呼ぶ）を有するフェースプレート１０３を含み、フェースプレート１０３は、電気回路（例えば、フェースプレート１０３の内部にあり、図１１および図１２に関して以下でより詳細に説明する）を含む。図示のように、フェースプレート１０３は、北米サイズの単一二重出口フェースプレートの形状および寸法を有し、同様に、開口部１０５は、北米サイズの「デコラ」スタイルの単一二重出口の形状およびサイズを有する。他の例では、フェースプレート１０３および開口部１０５は、任意の適切なサイズおよび形状を有し得る。例えば、開口部１０５は、「標準」単一二重出口のそれぞれの出口のための２つの開口部を含むことができる。
【００１１】
一般に、フェースプレート１０３は、前側１０６（図１に最もよく示される）と、前側１０６の反対側にある後側１０８（図２に最もよく示される）とを備える。図示のように、前側１０６は、北米サイズの単一二重出口フェースプレートの形状と寸法の両方に合わせるため、および以下に説明するようにフェースプレート１０３に深さを提供して内部に電気回路を収容するために、外縁で丸みを付けおよび／または面取りされている。。実際、フェースプレート１０３の後側１０８は、フェースプレート１０３に含まれる電気回路が取り付けられるプリント回路基板（ＰＣＢ）の外側を含むことができる。
【００１２】
図２および図３に最もよく見られるように、フェースプレート１０３は、フェースプレート１０３を電気取り出しコンセントおよび／またはジャンクションボックスに取り付けるためにねじなどのファスナーが挿入され得る一対のファスナー穴１０９をさらに備える。特に、図示されるように、フェースプレート１０３および開口部１０５の各々は、長方形の形状であり、したがって、それぞれ長軸および短軸を有する。ファスナー穴１０９は、長軸に沿って、北米の電気取り出しコンセントおよび／またはジャンクションボックスの各々のファスナーレセプタクルと相補的な位置に配置されている。
【００１３】
図２、図３、図４、図５および図６に最もよく見られるように、デバイス１０１は、第１の本体１１１および第２の本体１１２をさらに含み、各々がフェースプレート１０３の後側１０８から延びる。図示の例では、第１の本体１１１および第２の本体１１２は、電気取り出しコンセントサイズの開口部１０５の反対側に配置される（例えば、ジャンクションボックスに取り付けられた電気取り出しコンセントがそれらの間に適合することを可能にする）。しかしながら、他の例では、第１の本体１１１および第２の本体１１２は、（例えば、デバイス１０１の上部または下部を横切って、および／またはデバイス１０１の他の構成では、例えば北米以外の管轄区域では、第１の本体１１１と第２の本体１１２は、少なくとも部分的に結合されて単一の本体になる。）結合され、および／または少なくとも部分的に結合されてもよい。一般に、第１の本体１１１および第２の本体１１２は、フェースプレート１０３の電気回路を介して少なくとも部分的に通信している異なるタイプの電気コンポーネントを含む。
【００１４】
図２、図３、図５および図６に概略的に示されるように、第１の本体１１１は、ＡＣ−ＤＣ（交流から直流へ）電源１１３（以下、互換的にに電源１１３と呼ぶ）を備える。図示のように、電源１１３は、第１の本体１１１内に含まれ、したがって、本明細書全体で使用される慣習である破線で示されている。任意の適切な電源が本明細書の範囲内であるが、電源１１３の特定の例は、図１３Ａ、図１４、図１５および図１６に関して以下で説明される。いくつかの例では、ＡＣ−ＤＣ電源１１３のコンポーネントは、プリント回路基板（ＰＣＢ）上に配置され、第１の本体１１１に剛性を提供するオーバーモールド材料で囲まれ得る。
【００１５】
図２、図５および図６に最もよく見られるように、第１の本体１１１および第２の本体１１２は各々、１つ以上のそれぞれの電気取り出しコンセント端子と電気的に接触するように配置されたそれぞれの電気接点１２１、１２２を含み、それぞれの電気接点１２１、１２２は、１つ以上のそれぞれの電気取り出しコンセント端子から、フェースプレート１０３の電気回路を介して少なくとも部分的にＡＣ−ＤＣ電源１１３のＡＣ入力へ、交流を提供するように構成される。それぞれの電気接点１２１、１２２の詳細は、図９、図１０Ａおよび図１０Ｂに関して以下で説明される。
【００１６】
図１に示すように、デバイス１０１は、フェースプレート１０３の前側１０６に配置され、ＡＣ−ＤＣ電源１１３のＤＣ出力に接続された少なくとも１つの電気コネクタ（４つのコネクタ１３１、１３２、１３３、１３４として示される）をさらに含み、１つの電気コネクタ１３１、１３２、１３３、１３４は、それに接続された外部装置にＤＣ電力を供給する。
【００１７】
いくつかの例では、少なくとも１つの電気コネクタ１３１、１３２、１３３、１３４は、１つ以上の充電ポートを含む。実際、図示のように、各コネクタ１３３、１３４は充電ポートを含む。例えば、コネクタ１３３は、ＵＳＢ（ユニバーサルシリアルバス）充電ポート、具体的には、ＵＳＢ−Ａ充電ポートを備え、電気コネクタ１３３は、ＵＳＢ−Ｃ充電ポートを備え、各充電ポートは、電源１１３のＤＣ出力に接続される。図示のように、コネクタ１３３、１３４の充電ポートは各々異なるタイプのものであるが、他の例では、コネクタ１３３、１３４の充電ポートは同じタイプであってもよい。
【００１８】
言い換えると、図示のように、１つ以上の充電ポートは、第１のタイプの第１の充電ポートおよび第２のタイプの第２の充電ポートを含む。しかしながら、他の例では、１つ以上の充電ポートは、同じタイプの２つ以上の充電ポートを含む。実際、コネクタ１３３、１３４が充電ポートを含むとき、充電ポートは、ＵＳＢ−Ａ、ＵＳＢ−Ｂ、ＵＳＢ−Ｃ、ＵＳＢミニポート、ＵＳＢマイクロポート、および／またはＵＳＢベースではない充電ポートを含む任意の適切なタイプのものであってよいが、これに限定されない。
【００１９】
さらに、コネクタ１３３、１３４は、フェースプレート１０３の長軸に平行に向けられるように図示されているが、コネクタ１３３、１３４の１つ以上は、フェースプレート１０３の長軸に垂直に向けられてもよく、および／またはコネクタ１３３、１３４は、異なる方向に向けられてもよい。
【００２０】
図示のように、少なくとも１つの電気コネクタは、外部装置で１つ以上の異なる充電ポートタイプに接続するための１つ以上のコネクタ１３１、１３２（例えば、雄コネクタ）も含み、格納式コード１３５に取り付けられた１つ以上のコネクタ１３１、１３２（図１７および図２１に関して以下でより詳細に説明され、図４に部分的に見られる）は、第２の本体１１２に配置され、格納式コード１３５は、フェースプレート１０３を介して１つ以上のコネクタ１３１、１３２をＤＣ出力に接続する。
【００２１】
図示のように、さらに図４を参照すると、コネクタ１３１、１３２は、第１のコネクタ１３１および第２のコネクタ１３２を互いに約１８０°で含むＴ字形コネクタ１３６（図２１および図２２に関して以下でより詳細に説明される）から延びる。さらに、図１および図４では、コネクタ１３１、１３２は、それらがフェースプレート１０３の前側１０６（例えば、格納式コード１３５が格納されている場合にＴ字形コネクタ１３６が存在する）の凹部１３７（例えば、図４に最もよく見られる）に配置されているので、破線で示されていて、Ｔ字形コネクタ１３６のフレキシブルカバー１３９で覆われている。
【００２２】
しかしながら、他の例では、Ｔ字形コネクタ１３６から延びるコネクタ１３１、１３２は、凹部に存在しなくてもよく、格納された状態では、フェースプレート１０３の表面に配置されてもよい。
【００２３】
図４では、凹部１３７が第２の本体１１２の壁１３８によって少なくとも部分的に覆われているので、コネクタ１３１、１３２も破線で示されている。実際、図示の例では、第２の本体１１２の壁１３８は、凹部１３７の一部を示すカットオフを含む。さらに図４を参照すると、格納式コード１３５の端部もまた、（例えば、カットオフを通して）凹部１３７内に見える。
【００２４】
確かに、図示のように、そして図１を参照すると、デバイス１０１は、Ｔ字形コネクタ１３６上に可撓性カバー１３９を含む。一般に、可撓性カバー１３９は、（例えば、図４に最もよく見られるように）凹部１３７内に格納されると、Ｔ字形コネクタ１３６を覆い、可撓性カバー１３９は、第１のコネクタ１３１を覆うための第１のフラップ１４１、および第２のコネクタ１３２を覆うための第２のフラップ１４２を備え、第１のフラップ１４１および第２のフラップ１４２は各々、約９０°および／または９０°を超えて折り畳まれ、図２３に関して以下でより詳細に説明するように、外部装置が第１のコネクタ１３１または第２のコネクタ１３２にそれぞれ接続できるようにする。
【００２５】
図示のように、可撓性カバー１３９および／またはＴ字形コネクタ１３６は、１つ以上のコネクタ１３１、１３２を１つ以上の外部装置に接続して１つ以上の外部装置を充電するために、Ｔ字形コネクタ１３６、コネクタ１３１、１３２、および格納式ケーブルを凹部１３７および／またはフェースプレート１０３から延伸させるために（例えば、デバイス１０１のユーザによって）握ることができるハンドル１４３を含む。そのような動作の詳細は、図２２および図２３に関して以下でより詳細に説明される。
【００２６】
図２、図４、図５および図６に最もよく見られるように、第２の本体１１２は、概して、格納式コード１３５を延伸および格納するための格納機構１５２を備える。図２、図４、図５および図６では、格納機構１５２は、格納機構１５２が第２の本体１１２内に含まれることを示すために破線で示されている。図１、図３、図４および図６を参照すると、デバイス１０１および／または格納機構１５２は、フェースプレート１０３の前側１０６にボタン１５５をさらに含み、格納式コード１３５および／またはＴ字形コネクタ１３６および／またはコネクタ１３１、１３２が格納されるときに、ボタン１５５が作動すると、格納式コード１３５が第２の本体１１２内に格納されるように、ボタン１５５は、格納機構１５２を解放する（例えば、格納機構１５２のラチェットを解放する）ように構成される。任意の適切な格納機構が本明細書の範囲内であるが、格納機構１５２の特定の例は、図１７、図１８および図１９に関して以下で説明される。しかしながら、いくつかの例では、格納機構１５２は、ＰＣＢから少なくとも部分的に構築され得、これはまた、第２の本体１１２の１つ以上の壁を形成して、第２の本体１１２に剛性を提供し、ならびに電源１１３と格納式コード１３５との間（例えば、さらにフェースプレート１０３を介して）、および／または接点１２２と電源１１３との間（例えば、さらにフェースプレート１０３を介して）の電気通信および／またはルーティングを提供する。
【００２７】
図示されているように、デバイス１０１は、Ｔ字形コネクタ１３６の２つのコネクタ１３１、１３２を含むが、Ｔ字形コネクタ１３６は、他の数の電気コネクタ、例えば、わずか１つの電気コネクタまたは３つ以上の電気コネクタ、を含む任意の適切な形状のコネクタで置き換えることができる。例えば、Ｔ字形コネクタ１３６は、例えば十字形に互いに約９０°で３つのコネクタ（例えば、コネクタ１３１、１３２と同様）を含む他の形状のコネクタと置き換えることができる。しかしながら、コネクタ１３１、１３２と同様の任意の適切な数のコネクタを含み、互いの動作を妨げないように配置されたＴ字形コネクタ１３６の代わりに、任意の適切な形状の任意のタイプの適切なコネクタを使用することができる。
【００２８】
さらに別の例では、コネクタ１３１、１３２は、Ｔ字形コネクタ１３６（および／または他の形状のコネクタ）で置き換え可能および／または交換可能であり得る。したがって、例えば、コネクタ１３１、１３２は、コネクタヘッドの形態で提供され得、Ｔ字形コネクタ１３６などは、デバイス１０１への機械的および電気的取り付けのため、コネクタヘッドが挿入され得るスロットなどを含むように適合され得る。そのようなコネクタヘッドは、新しいタイプのコネクタおよび／または他のタイプのコネクタと共に使用するためにデバイス１０１を適合させるために、デバイス１０１とは別個に販売されてもよい。
【００２９】
図示のように、コネクタ１３１、１３２は各々、例えば、外部装置の相補的な雌充電ポートと共に使用するための雄コネクタを含む。さらに、第１のコネクタ１３１および第２のコネクタ１３２は、異なるタイプであってもよい。例えば、第１のコネクタ１３１は、アップル（登録商標）デバイスと互換性のあるライトニング（登録商標）雄コネクタを含み得、第２のコネクタ１３２は、アップル（登録商標）デバイス、アンドロイド（登録商標）、および他のデバイスと互換性のあるＵＳＢタイプＣ雄コネクタを含み得る。しかしながら、図示されるように、コネクタ１３１、１３２は各々異なるタイプであるが、他の例では、コネクタ１３１、１３２は、同じタイプであり得、および／または、Ｔ字形コネクタ１３６などと取り換えおよび／または交換され得るコネクタヘッドとして提供され得る。さらに、例えば、充電などのための電気コネクタを開発するエンティティによって、新しい電気コネクタタイプが開発およびリリースされるとき、そのような新しい電気コネクタタイプがデバイス１０１に組み込まれ得ることが理解される。したがって、コネクタ１３１、１３２、１３３、１３４は、任意の適切なタイプのコネクタと交換可能であると理解される。
【００３０】
さらに、図示されるように、デバイス１０１は４つの電気コネクタ１３１、１３２、１３３、１３４を含むが、他の例では、デバイス１０１は、例えば１つの格納式電気コネクタ（例えば、格納式コード１３５に接続される）または１つの充電ポートなどのわずか１つの電気コネクタを含み得る。しかしながら、デバイス１０１は、格納式電気コネクタおよび／または充電ポートの任意の適切な組み合わせを備え得、電源１１３のコンポーネントは、格納式電気コネクタおよび／または充電ポートの任意の適切な組み合わせに電力を供給するようにそれに応じて調整される。さらに別の例では、デバイス１０１は、例えば、フェースプレート１０３から格納することができない突起などとして、雄の電気コネクタを含むことができる。
【００３１】
次に、ジャンクションボックス内の電気取り出しコンセントを備えたデバイス１０１の使用、およびデバイス１０１の電気的動作について説明する。
【００３２】
次に、図７および図８に注目すると、それらは、開口部１０５と互換性のある電気取り出しコンセント７０１と共に使用されているデバイス１０１を示す。例えば、図７に最もよく見られるように、ねじ７０９などのファスナーが穴１０９を通って挿入されており、デバイス１０１を電気取り出しコンセント７０１および／または電気取り出しコンセント７０１が取り付けられたジャンクションボックスに取り付けている。しかしながら、他の例では、デバイス１０１は、別個に提供されるファスナーおよび／または開口部１０５を使用することなく、ジャンクションボックスに「スナップ」するように適合され得る。
【００３３】
特に、図７は、電気取り出しコンセント７０１と共に使用中のデバイス１０１の正面図を示し、図８は、電気取り出しコンセント７０１と共に使用中のデバイス１０１の上面図を示す。例えば、図７は図１と同様であるが、図７には電気取り出しコンセント７０１も示され、図８は図６と同様であるが、図８には、電気取り出しコンセント７０１と、電気取り出しコンセント７０１が設置されるジャンクションボックス８０１の周囲も示される。電気取り出しコンセント７０１の幹線電源への接続は図示されていないが、そのような接続が存在することは理解される。
【００３４】
図７を参照すると、電気取り出しコンセント７０１は、開口部１０５を充填しており、および／または開口部１０５を通って少なくとも部分的に延在している。例えば、図示のように、電気取り出しコンセント７０１は、電気取り出しコンセント７０１の段および／または尾根に配置された２つの電気取り出しコンセントを備えた二重電気取り出しコンセントを含み、電気取り出しコンセント７０１の段が開口部１０５内におよび／または開口部１０５を通って延びるように、電気取り出しコンセント７０１の段の周囲は、開口部１０５のサイズおよび形状に相補的なサイズおよび形状である。
【００３５】
図８を参照すると、電気取り出しコンセント７０１は、幹線電源のＡＣ電力に接続される端子８２１、８２２を含む。いくつかの例では、端子８２１、８２２の各々は、主電源の対応するワイヤが取り付けられる１つ以上のねじ頭（例えば、１つまたは２つのそれぞれのねじ）を含む一対の端子を含むことができる。しかしながら、他の例では、主電源は、電気取り出しコンセント７０１の後部のスロットおよび／または穴を介して取り付けられてもよい。一般に、図示のように、端子８２１、８２２は、標準的な北米の電気取り出しコンセントの端子と同様および／または同じであり、さらに、標準的な北米の電気取り出しコンセントの端子と同様および／または同じ位置に配置される。このように、端子８２１、８２２の１つのペアは「ホット」（および／またはポジティブ、例えば北米では「ブラック」端子）であってよく、一方、端子８２１、８２２の他のペアは「ニュートラル」（および／またはネガティブ、例えば北米では「ホワイト」端子）であってよい。
【００３６】
端子８２１、８２２は、電気取り出しコンセント７０１の反対側に配置される。さらに、図８に最もよく見られるように、接点１２１、１２２は、デバイス１０１がジャンクションボックス８０１に挿入されたときに、それぞれの端子８２１、８２２に接触するサイズ、形状、および位置である。さらに、図７および図８ではデバイス１０１が特定の向きでジャンクションボックス８０１に挿入されるように示されているが、他の例では、例えば、以下に説明する接点１２１、１２２の形状および／または寸法に起因して、デバイス１０１がジャンクションボックス８０１に１８０°で挿入され、接点１２１、１２２が再び端子８２１、８２２に接触してもよい。
【００３７】
特に、端子８２１、８２２の各々は、開口部１０５に隣接するそれぞれの本体１１１、１１２のそれぞれの側に配置される。
【００３８】
例えば、図示のように、本体１１１、１１２の各々は、電気取り出しコンセント７０１の外側とジャンクションボックス８０１の対応する側との間に嵌合する形状およびサイズであり、その結果、接点１２１、１２２は、それぞれの端子８２１、８２２に電気的に接触および／または触れる。本体１１１、１１２の前縁が電気取り出しコンセント７０１または端子８２１、８２２に引っ掛かる可能性を低減するように、本体１１１、１１２の各々は、ジャンクションボックス８０１よりも短い深さであり得、さらにジャンクションボックス８０１への挿入および／または電気取り出しコンセント７０１の外側とジャンクションボックス８０１の対応する側面との間の嵌合を支援する角度であり得る。例えば、第１の本体１１１および第２の本体１１２の各々は、フェースプレート１０３の後側１０８の法線から各々約２°の角度であり、電気取り出しコンセントサイズの開口部１０５から（わずかに）離れて延びることができる。その結果、本体１１１、１１２の内壁（例えば、開口部１０５に隣接する）は、、フェースプレートの後側１０８から最も遠い本体１１１、１１２の端部よりも、フェースプレート１０３の後側１０８に隣接して互いに近くなる。しかしながら、特定の例では、第１の本体１１１および第２の本体１１２の各々は、フェースプレート１０３の後側１０８の法線から各々約２°の角度であり得るが、第１の本体１１１および第２の本体１１１の各々は、フェースプレート１０３の後側１０８の法線から任意の適切な非ゼロの角度であってもよく、電気取り出しコンセントサイズの開口部１０５から離れて延在してもよい。さらに別の例では、第１の本体１１１および第２の本体１１２の各々は、角度が付けられていなくてもよい。さらに別の例では、第１の本体１１１および第２の本体１１２の各々は、例えば、接点１２１、１２２が端子８２１、８２２と接触するのを助けるために、開口部１０５に向かって内側に角度を付けてもよい。
【００３９】
さらに、図示のように、第１の本体１１１および第２の本体１１２は各々、フェースプレート１０３から遠い方の端に丸みを帯びた角を有し、例えば、ジャンクションボックス８０１の中に含まれるワイヤ、コンポーネントなどに引っ掛かる可能性を低減する。
【００４０】
特定の例では、例えば、デバイス１０１が北米の電気取り出しコンセントおよびジャンクションボックスに適合される場合、本体１１１、１１２の各々は、以下のような寸法を有し得る。例えば、本体１１１、１１２の各々は、長さが約７５ｍｍ（＋／−１０ｍｍ）、幅が約４５ｍｍ（＋／−１０ｍｍ）、厚さが約６．５ｍｍ（＋／−２ｍｍ）（例えば、本体１１１、１１２が図１〜図６に示すように結合されていない場合）。しかしながら、そのような寸法は単なる例であり、本体１１１、１１２の寸法は、例えば北米以外の管轄区域のための、任意の適切な電気取り出しコンセントおよび／またはジャンクションボックスに適合され得る。さらに、本体１１１、１１２が少なくとも部分的に結合される場合、結合された本体の寸法はそれに応じて適合され得、それらがさらに適合され得る特定のタイプの電気取り出しコンセントおよび／またはジャンクションボックスに依存し得る。さらに、列挙された寸法は、外部の本体測定であると理解され、（オーバーモールド材料を含み得る）本体１１１、１１２の壁は、例えば、外側が約６．５ｍの本体１１１、１１２の内側が約５．５ｍｍになるように、厚さが約０．５ｍｍ（＋／−１ｍｍ）であり得る。
【００４１】
さらに、第１の本体１１１および第２の本体１１２の各々は、上述のように剛性であってもよいので、そのような剛性は、接点１２１、１２２が端子８２１、８２２との電気的相互作用および／または端子８２１との接触を支援することができる。例えば、図８に示すように、接点１２１、１２２は、少なくとも部分的に三角形の形状および／または少なくとも部分的に湾曲した形状の少なくとも１つのばね接点を含み得、本体１１１、１１２の剛性は、接点１２１、１２２のばね作用のための剛性ベースを提供し得る。さらに、接点１２１、１２２の各々は、アルミニウム、銅、金、導電性ゲル、含浸導電性プラスチック、それらの任意の適切な組み合わせなどの、ばね接点を形成することもできる導電性材料を含む。
【００４２】
さらに、図９、図１０Ａおよび図１０Ｂに注目すると、それらは、接点１２１および端子８２１の詳細を示す。
【００４３】
例えば、図９は、デバイス１０１における接点１２１および端子８２１の位置の斜視図を示す。換言すれば、図９において、電気取り出しコンセント７０１の本体は、接点１２１に対する端子８２１の位置を概略的に示すために取り除かれ、端子８２１は、上述のように、一対の端子を含む。図示のように、接点１２１は、端子８２１の１つと接触している。
【００４４】
図１０Ａは、図９に示したものと同様の接点１２１の斜視図を示す。ただし、デバイス１０１の残りの部分は取り除かれている。図１０Ａは、破線で接触端子８２１の位置をさらに示す。図１０Ｂは、端子８２１の１つと接触している接点１２１の側面図を示す。
【００４５】
図１０Ａおよび図１０Ｂを参照すると、接点１２１は、デバイス１０１がジャンクションボックス８０１に挿入されるときに、少なくとも１つが端子８２１の１つと接触する２つの三角形のばね接点１０２１を含む。接点１２１はさらに、ばね接点１０２１の間にオプションの中央プロング１０２３を含み、ベース１０２５を介してそれに接続され、ベース１０２５は、接点を開口１０５に隣接する第１の本体１１１の壁に（例えば、そこを通る開口部などを介して）取り付ける。したがって、少なくとも１つのばね接点１０２１が端子８２１に接触し、電源１１３のＡＣ入力に電気的に接続されたプロング１０２３に（例えば、フェースプレート１０３の電気回路を介して）ＡＣ電力を伝達する。例えば、図１０Ｂに最もよく示されるように、中央プロング１０２３は、電源１１３のＡＣ入力への電気配線（ｅｌｅｃｔｒｉｃａｌ  ｒｏｕｔｉｎｇ）に接続する段１０２４を含み得る（例えば、以下で説明される図１１を参照）。実際、いくつかの例では、図９を参照すると、中央プロング１０２３は、それぞれの本体１１１、１１２を貫通することができ、中央プロング１０２３の約１ｍｍ〜約２．０ｍｍは、中央プロング１０２３がフェースプレート１０３および／またはそれぞれの本体１１１、１１２の前向きエッジに接触しないように露出されない（例えば、北米の電気規格等を満たすために）。しかしながら、中央プロング１０２３は、オプションであり得、および／または任意の適切な形状に適合され得、および／または除去され得、そして／または接点１２１は、フェースプレート１０３の電気回路を介して電源１１３のＡＣ入力にＡＣ電力を伝達する任意の適切な形状を含み得る。さらに、接点１２１、１２２の一方は中央プロング１０２３を含むことができ、接点１２１、１２２の他方は中央プロング１０２３を含まなくてもよく、および／または長さが短縮された中央プロングを有してもよい。
【００４６】
さらに、ばね接点１０２１は、三角形ではない任意の適切な形状であってよい。例えば、図１０Ｃに注目すると、図１０Ｃは、接点１２１の代わりに使用され得る代替の接点１２１ａを示す。接点１２１ａは、接点１２１と形状が類似しているが、三角形のばね接点１０２１の代わりに湾曲したばね接点１０２１ａを含む。
【００４７】
接点１２２は、接点１２１（および／または接点１２ａ）と同様であるが、第２の本体１１２に配置され、１つ以上の端子８２２と接触するように配置される。  したがって、接点１２２は、少なくとも部分的にフェースプレート１０３を介して、ＡＣ電力を電源１１３のＡＣ入力に伝達する。
【００４８】
図９および図１０Ａを参照すると、接点１２１、１２２の各々は、それぞれの本体１１１、１１２の長軸（例えば、長さ方向）に中心があり、本体１１１、１１２は、一般に、フェースプレート１０３の長さ方向に中心のあることが理解される。しかしながら、図示されるように、端子８２１、８２２は、一般に、ジャンクションボックス８０１内のそれらの位置に関しておよび／または接点１２１、１２２（例えば、北米の電気取り出しコンセントでは一般的であるが、ただし、端子８２１、８２２は、代わりに、ジャンクションボックス８０１内のそれらの位置に関して、および／または接点１２１、１２２に関して中心に置くことができる。）に関して、中心にない。
【００４９】
いくつかの例では、接点１２１、１２２は、（例えば、ばね接点１０２１の外縁から）約９ｍｍの幅であり得、ばね接点１０２１は、約４ｍｍ（例えば、ばね接点１０２１は、約２．５ｍｍの幅であり得る）隔てられ得る。接点１２１、１２２は、例えば、ばね接点１０２１（および／または中央プロング１０２３）の反対側のベース１０２５の端から、段１０２４を含まない中央プロング１０２３の端まで、約２０ｍｍの長さであってもよい。これらの例のいくつかでは、ばね接点１０２１は、約２ｍｍから約３ｍｍの高さであり得る。特定の実施形態では、接点１２１、１２２の各々は、それぞれの本体１１１、１１２の開口部に面する壁の長軸に中心を置くことができ、接点１２１、１２２の各々のそれぞれの中心は、それぞれの本体１１１、１１２の各外縁（例えば、フェースプレート１０３から最も遠いフェースプレート１０３から延びる本体１１１、１１２の縁）から約３７．５ｍｍ（＋／−５ｍｍ）であり得る。中央プロング１０２３（例えば、存在する場合）は、中央プロング１０２３がフェースプレート１０３および／またはそれぞれの本体１１１、１１２の前向き縁に接触しないように、それぞれの本体１１１、１１２（例えば、開口部１０５に隣接する）の前向き縁の前で約１．０ｍｍから約２．０ｍｍで終端し得る。そのような寸法は、ジャンクションボックス８０１に対するデバイス１０１の向きに関係なく、接点１２１、１２２が端子８２１、８２２に接触するのを助けることができる。  しかしながら、接点１２１、１２２の他の形状および／または寸法は、本明細書の範囲内である。
【００５０】
次に、図１１に注目すると、図１１は、デバイス１０１の概略的電気ダイヤグラムを示す。デバイス１０１の電気コンポーネント間の電気配線および／または接続および／または配線が、コンポーネントの概略的位置を示す線と比較して幅の広い線で、図１１に示されている。
【００５１】
特に、図１１は、接点１２１、１２２、電源１１３、電源１１３のＡＣ入力１１０１、電源のＤＣ出力１１０２、フェースプレート１０３の電気回路１１０３を示す。図示のように、電気回路１１０３は、コントローラ１１０５および、接点１２１、１２２とＡＣ入力１１０１との間、ならびにコントローラ１１０５とコネクタ１３１、１３２、１３３、１３４との間、およびコントローラ１１０５と格納機構１５２内に配置された格納式コード１３５との間の電気配線および／または接続を含む。コントローラ１１０５は、以下で説明するように、デバイス１０１の任意の適切な処理および／または制御コンポーネントを含んでよい。
【００５２】
図示のように、電気回路１１０３は、それぞれの電気接点１２１、１２２からＡＣ入力１１０１にＡＣ電力を供給するための電気配線と、ＤＣ出力１１０２から格納式コード１３５への電気配線（例えば、図示されているようにコントローラ１１０５を介して）と、ＤＣ出力１１０２からコネクタ１３３、１３４への電気配線（例えば、図示されているようにコントローラ１１０５を介して）と、を含む。図示のように、ＤＣ出力１１０２から格納式コード１３５およびコネクタ１３３、１３４への電気配線もまた、コントローラ１１０５を介しており、コントローラ１１０５は、以下で説明するように、デバイス１０１に追加機能を提供するコンポーネントを備える。
【００５３】
さらに、ＤＣ出力１１０２からの電気配線およびコネクタ１３１、１３２、１３３、１３４への電気配線は単一の線として示されているが、ＤＣ出力１１０２は一対の電気接続（例えば、「高」および「低」電気出力など）に設けられることが理解される。
【００５４】
例えば、図示されるように、電気回路１１０３は、例えば、コントローラ１１０５のコンポーネントとして、以下の１つ以上のために構成された少なくとも１つのマイクロコントローラユニット（ＭＣＵ）１１１５をさらに含む。内部デバイスモニタリング（例えば電流、電圧、電力、温度などを例えばモニタするために、したがって、ＭＣＵ１１１５は、温度センサを含むことができ、および／またはＭＣＵ１１１５は、フェースプレート１０３内および／または電源１１３に配置された温度センサと通信することができる）、内部および外部の電力振幅の監視と変調、内部電源スイッチング、および内部デバイス制御。言い換えると、コントローラ１１０５および／またはＭＣＵ１１１５は、一般に、デバイス１０１の所定の機能を実施する命令および／または１つ以上のアプリケーション（例えば、図示しないメモリに格納され、および／または以下に図示するようにアンテナ１１２３を介してまたは受信される）を実行する。１つのＭＣＵ１１１５のみが示されているが、ＭＣＵ１１１５である電気回路１１０３は、２つ以上のマイクロコントローラユニットを含み得る。
【００５５】
いくつかの例では、ＭＣＵ１１１５は、コネクタ１３１、１３２、１３３、１３４に接続された外部装置と通信するようにさらに構成され得る。そのため、コントローラ１１０５とコネクタ１３１、１３２、１３３、１３４との間、および／またはコネクタ１３１、１３２、１３３、１３４間の電気配線は、ＭＣＵ１１１５と外部装置との双方向データ通信用にさらに構成され得る。そのため、例えば、ＭＣＵ１１１５は、そのような外部装置のバッテリ充電状態を含むがこれに限定されないデータについて、そのような外部装置に問い合わせることができる。これらの例では、ＭＣＵ１１１５は、電源１１３および／またはコントローラ１１０５の電力制御回路と通信して、それに応じて（例えば、外部装置への電力出力を制御することにより）外部装置の充電を制御することができる。そのような例では、ＭＣＵ１１１５はさらに、外部装置に問い合わせて、そのタイプを決定することができ、そのタイプを使用して、外部装置を充電するために使用される電力出力特性を決定することができる。
【００５６】
例えば、コントローラ１１０５は、図示のように、それぞれの外部装置が接続されていないときに、ＤＣ出力１１０２からの電力が少なくとも１つの電気コネクタ１３１、１３２、１３３、１３４にルーティングされるのを防ぐように構成されたルーティング回路１１１７をさらに含み得る。そのため、単一の外部装置が単一の電気コネクタ１３１、１３２、１３３、１３４に接続されている場合（例えば、追加の外部装置が他の電気コネクタに接続されていない場合）、ＤＣ出力１１０２からの電力は単一の電気コネクタ１３１、１３２、１３３、１３４にのみルーティングされる。ルーティング回路１１１７は、ＭＣＵ１１１５によって制御され得、および／またはルーティング回路１１１７は、電力を電気コネクタ１３１、１３２、１３３、１３４のうちの１つ以上にルーティングするための検出器および／またはスイッチなどの任意の適切な組み合わせを含み得る。
【００５７】
コントローラ１１０５のコンポーネント間の電気的接続は示されていないが、それにもかかわらず、そのような電気的接続は、電気コネクタ１３１、１３２、１３３、１３４に電力を送るために存在すると理解される。
【００５８】
図示のように、電気回路１１０３は、デバイス１０１に外部接続、外部監視、外部制御、および外部プログラミングのうちの１つ以上を提供する無線ローカルエリアネットワーク無線アンテナ１１２３をさらに備える。例えば、（例えば、コントローラ１１０５のメモリに記憶されるように）デバイス１０１で維持される命令は、アンテナ１１２３を介して更新され得、および／またはアンテナ１１２３は、例えば、外部装置がデバイス１０１等に接続されているかどうかを示すために、デバイス１０１のパラメータを無線ネットワークに送信するために使用され得る。したがって、アンテナ１１２３は、デバイス１０１を外部のＩｏＴシステムおよび／またはデバイスによって制御および／または監視することができるように、デバイス１０１をモノのインターネット（ＩｏＴ）デバイスとしてさらに可能にすることができる。図示されていないが、アンテナ１１２３が存在する場合、電気回路１１０３は、デバイス１０１の無線機能を実装するための１つ以上の通信ユニットおよび／またはトランシーバをさらに含むことがさらに理解される。アンテナ１１２３および関連する通信ユニットは、ＷｉＦｉアンテナ／通信ユニット、Ｂｌｕｅｔｏｏｔｈ（登録商標）アンテナ／通信ユニット、近距離無線通信（ＮＦＣ）アンテナ／通信ユニットなど任意の１つ以上、および／または他の適切なアンテナ／通信ユニットを含み得る。
【００５９】
図１１は、第１のコネクタ１３１および第２のコネクタ１３２の各々と通信する電気回路１１２４をさらに概略的に示す。電気回路１１２４は、コネクタ１３１、１３２のＴ字形コネクタ１３６に統合することができ、以下のように構成される。第１の外部装置が第１のコネクタ１３１に接続されたときを検出し、そして、第２の外部装置が第２のコネクタ１３２に接続されたときを検出する。したがって、電気回路１１２４は、そのような情報をＭＣＵ１１１５および／またはルーティング回路１１１７に通信して、ルーティング回路１１１７がそれに応じて電力をルーティングできるように構成することができる。したがって、電気回路１１２４は、格納式ケーブル１３５を介してＭＣＵ１１１５と通信することができる。
【００６０】
いくつかの例では、電気回路１１２４は、ルーティング回路１１１７と同様の機能を含み得、それぞれの外部装置がそこに接続されていない場合に、少なくとも１つの電気コネクタ１３１、１３２に電力がルーティングされないように構成され得る。そのため、単一の外部装置が単一の電気コネクタ１３１、１３２に接続されており、追加の外部装置が他の電気コネクタに接続されていない場合、電力は単一の電気コネクタ１３１、１３２のみにルーティングされるか、またはＭＣＵ１１１５および／またはコントローラ１１０５によって命令されるかまたはルーティングされる。
【００６１】
次に、図１２に注目すると、図１２は、図１１と実質的に同様であり、同様のコンポーネントが同様の番号を有する。しかしながら、図１２は、格納機構１５２、格納式コード１３５、およびコネクタ１３１、１３２（例えば、Ｔ字形コネクタ１３６および回路１１２４）が、例えば第２の本体１１２に配置されたバッテリ１２０１によって置き換えられている、デバイス１０１の代替の実施を示す。これらの例では、バッテリ１２０１を使用して、電源１１３によって生成された電力を蓄積し、および／または電源１１３への代替電源として外部装置に電力を提供することができる。例えば、停電中および／または幹線電源が少なくとも一時的に機能していないとき、バッテリ１２０１は、コネクタ１３３、１３４を介してデバイス１０１および／または１つ以上の外部装置に電力を供給することができる。しかしながら、バッテリ１２０１はまた、例えば、短期間、外部装置に供給される電荷量を増大させるために、ＤＣ電力を同じ速度および／または類似の速度および／またはより高い速度（例えば、電源１１３と比較して）でコネクタ１３１、１３２、１３３、１３４のうちの１つ以上に送信するために使用され得る。いくつかの例では、ＭＣＵ１１１５は、デバイス１０１（例えば、図１２に示されるように）を制御して、オフピーク電気料金時間中にバッテリ１２０１を充電し、ピーク電気料金時間中に放電する（例えば、外部装置に）。バッテリ１２０１は、限定されないが、リチウムイオンバッテリ、リチウムポリマーバッテリ、固体バッテリ、および／または任意の他の適切な種類のバッテリを含み得る。
【００６２】
したがって、図１１と比較して、ＤＣ出力１１０２からバッテリ１２０１への電気配線（例えば、コントローラ１１０５を介して）を含むように、デバイス１０１および／またはコントローラ１１０５は変更されている。実際、図１２に示されているデバイス１０１は、バッテリ１２０１を充電するためのバッテリ１２０１への電気的ルーティング、およびそこから電力を引き出すためのバッテリ１２０１からの電気的ルーティングを含み、いくつかの例では、充電および電源の電気配線は、少なくとも部分的に組み合わせることができる。
【００６３】
図１２に示されているデバイス１０１および／またはコントローラ１１０５は、図１１と比較して、以下を含むようにさらに変更されている。最初にオンボードのバッテリ電力貯蔵（例えばバッテリ１２０１から）から少なくとも１つの電気コネクタ１３３、１３４に電力を供給し、次にＡＣ−ＤＣ電源１１３から少なくとも１つの電気コネクタ１３１、１３２に電力を供給するために、少なくとも１つの電気コネクタ１３３、１３４用の負荷モニタ１２１７。したがって、これらの例では、負荷モニタ１２１７により、最初にバッテリ１２０１から外部装置に電力が供給され、バッテリ１２０１が所定の充電レベルを下回ると、負荷モニタ１２１７により、電源１１３から外部装置に電力が供給される。例えば、負荷モニタ１２１７およびＭＣＵ１１１５は、一般に、互いに通信するように構成され、ＭＣＵ１１１５は、バッテリ１２０１または電源１１３からコネクタ１３１、１３２、１３３、１３４に電力をルーティングするかどうかを負荷モニタ１２１７に指示することができる。特に、負荷モニタ１２１７は、コネクタ１３１、１３２、１３３、１３４の負荷を監視し、それに応じてＭＣＵ１１１５に命令および／または信号を送る。
【００６４】
実際、デバイス１０１および／またはコントローラ１１０５は、外部装置が最初に接続されたときに電気コネクタ１３１、１３２、１３３、１３４への出力電圧を維持するためのＤＣ−ＤＣブースタ回路１２１８を含むために、図１１と比較して、さらに修正されている。  例えば、外部装置が最初に電気コネクタ１３１、１３２、１３３、１３４に接続され、バッテリ１２０１を介して充電されるとき、電圧の低下が最初に起こり得る。ブースタ回路１２１８は、一般に、そのような電圧降下の発生を防ぎ、コネクタ１３１、１３２、１３３、１３４への電力出力をブーストするために、ＤＣ出力１１０２からのＤＣ電力によって電力供給されてもよい。ＤＣ出力１１０２からのＤＣ電力が５Ｖであるとき、ＤＣ−ＤＣブースタ回路１２１８は、５Ｖブースタ回路を含み得る。例えば、バッテリ１２０１からの電力の電圧は、ＤＣであり得、そして４．２〜５Ｖの範囲であり得、バッテリ１２１２がリチウムバッテリを含む場合、４．２Ｖが提供される。負荷がリチウムバッテリにかかると、電圧は３Ｖの範囲まで低下する可能性があり、ＤＣ−ＤＣブースタ回路１２１８は、それに応じて電圧を５Ｖにブーストする。
【００６５】
実際、デバイス１０１および／またはコントローラ１１０５は、バッテリモニタおよび充電器１２１９を含むために、図１１と比較して、さらに修正されていて、そして、ＭＣＵ１１１５がバッテリ１２０１内の利用可能な電力貯蔵容量を決定するときに、ＭＣＵ１１１５は、例えば、バッテリモニタおよび充電器１２１９と通信することにより、オンボードバッテリ電力ストレージ（例えば、バッテリ１２０１）を監視および充電するようにさらに構成され得る。したがって、バッテリモニタおよび充電器１２１９は、バッテリ１２０１を監視し、および／またはバッテリ１２０１を充電するために使用され得る。
【００６６】
次に、図１３Ａに注目すると、図１３Ａは、電源１１３の実施の例を示す。特に、例えば、第１の本体１１１の寸法に適合し、例えば４つの外部装置がそれぞれそれに接続されているとき、４つのコネクタ１３１、１３２、１３３、１３４に電力を供給することができ、そして、デバイス１０１がジャンクションボックス８０１に設置されるとき、電力損失をさらに最小限に抑え、および／または熱（例えば、熱は電力損失の副産物である）を効果的に放散することができる、小型パッケージでＡＣ−ＤＣ電源を提供することは困難な場合がある。図１３Ａに示された電源１１３のコンポーネントの示された組み合わせは、これらの問題の各々に対処するかもしれない。
【００６７】
示されるように、図１３Ａに示される電源１１３のコンポーネントは、図３に示されているように、例えば、描かれた第１の本体１１１の丸みを帯びた角に対応する丸みを帯びた角を備えた、第１の本体１１１と同様の形状であるＰＣＢ１３０１上に搭載されおよび／または取り付けられおよび／またはレイアウトされている。ＰＣＢ１３０１はさらに、電源１１３のコンポーネント間の電気接続を提供することができる。さらに、電源１１３のコンポーネントは、ＰＣＢ１３０１上のそれらの相対位置を示すために図１３Ａに示されている。しかしながら、他の例では、電源１１３のコンポーネントは、任意の適切な方法で（例えば、ＰＣＢ上に）配置および／またはパッケージ化され得る。
【００６８】
具体的には、図１３Ａに示す電源１１３のコンポーネントは、図１１および図１２に関して上述したように、接点１２１、１２２に接続されたＡＣ入力１１０１に電気的に接続された全波整流器１３０３を備える。全波整流器１３０３は、一般に、ＡＣ入力１１０１から受け取ったＡＣ電力を整流する。
【００６９】
電源１１３はさらに、全波整流器１３０３と通信して、整流されたＡＣ電圧を全波整流器１３０３からより低い電圧に降圧するバックレギュレータ１３０５を備える。例えば、ＡＣ入力１１０１で受け取られるＡＣ電力が約１２０Ｖであるとき、整流されたＡＣ電圧は約６０Ｖであり、図示のように、バックレギュレータ１３０５は整流されたＡＣ電圧を約５０Ｖに降圧することができる。しかしながら、電源１１３は、２１０Ｖ〜２４０ＶのＡＣ電力および／または任意の他の適切な電圧範囲での使用に適合され得る。
【００７０】
電源１１３は、図示されているように、以下を含むプッシュプルコンバータ１３０６をさらに備える。バックレギュレータ１３０５と通信して、低電圧整流ＡＣ電圧のデューティサイクルを制御するチョッパ回路１３０７、および、チョッパ回路１３０７と通信して、より低い電圧の整流されたＡＣ電圧の電圧をさらに低減する平面変圧器１３０９。チョッパ回路１３０７および平面変圧器１３０９（以下、交換可能に変圧器１３０９と呼ぶ）のさらなる詳細は、以下で説明される。しかしながら、プッシュプルコンバータ１３０６からの出力は、一般に、電源１１３の所望の出力電圧にある低電圧の方形パルスを含む。実際、平面変圧器１３０９からの出力は、５Ｖ（例えば、２００〜３００ｍＡで）であり得る。
【００７１】
電源１１３は、平面変圧器１３０９の電気出力を直流電圧に変換するために平面変圧器１３０９と通信する整流器１３１３をさらに備える。一般に、ＡＣ−ＤＣ電源１１３のＤＣ出力１１０２は、整流器１３１３の出力を含む。図示のように、同期整流器はスイッチベースであり、ダイオードベースの整流器よりも発熱が少ない傾向があるため、整流器１３１３は同期整流器を含む。ＡＣ−ＤＣ電源１１３のＤＣ出力１１０２は、コネクタ１３１、１３２、１３３、１３４に関連する規格と互換性のある電圧、例えば、最大約１０Ａの電流で約５ＶのＤＣ電圧および／または電圧および／または電流の任意の適切な組み合わせを出力することができる。しかしながら、成功したプロトタイプでは、図示の電源１１３は、ＤＣ出力１１０２で約４Ａよりも大きい電流で約５Ｖの電力を提供した。
【００７２】
示されるように、電源１１３は、ＤＣ出力１１０２（および／または整流器１３１３の出力）とバックレギュレータ１３０５との間にフィードバック回路１３１５をさらに含み、バックレギュレータ１３０５のより低い電圧出力を制御することによって整流器１３１３から出力される直流電圧を制御する。  フィードバック回路１３１５は、ＭＣＵ１１１５と通信することができる１つ以上のＭＣＵを含むことができる。例えば、フィードバック回路１３１５は、一般に、整流器１３１３からの直流電圧出力を監視し、整流器１３１３からの直流電圧出力を上下させるように（例えば、所与の電圧範囲内で整流器１３１３から出力される直流電圧の出力を維持するように）バックレギュレータ１３０５の出力を調整するように構成される。いくつかの例では、フィードバック回路１３１５は、一般に、（発振がないことを保証するために）バックレギュレータ１３０５の出力（例えば、出力電圧および／または電流）のデューティサイクルを制御することによって機能するネガティブフィードバックループを備える。例えば、バックレギュレータ１３０５のデューティサイクルを増加させることにより、フィードバック回路１３１５は、電流を低下させるか、または電圧を増加させ、逆もまた同様である。いくつかの例では、フィードバック回路１３１５は、基準値と出力値との間の差を測定および／または決定し、それに応じてバック電流または電圧を変更することができるエラー増幅器を含むことができる。
【００７３】
あるいは、および／またはバックレギュレータ１３０５のデューティサイクルを制御することに加えて、バックレギュレータ１３０５は、１つ以上の可変電気コンポーネント（例えば、抵抗器および／またはコンデンサおよび／またはインダクタなど）を備えることができ、フィードバック回路１３１５は、バックレギュレータ１３０５の出力を制御するために、そのような可変電気コンポーネントのパラメータを制御することができる。
【００７４】
フィードバック回路１３１５は、そのような機能を実施するように構成されたプロセッサおよび／またはマイクロコントローラユニットなど、ならびに整流器１３１３によって出力されるＤＣ電力および／またはＤＣ電圧を測定するためのデバイスを備え得る。
【００７５】
図示のように、電源１１３は、フィードバック回路１３１５とバックレギュレータ１３０５との間に光カプラ１３１７および／または光アイソレータをさらに備えて、電源１１３内のＤＣ電力とＡＣ電力との間の分離を維持する。
【００７６】
図示のように、フィードバック回路１３１５は、チョッパ回路１３０７を制御するように、例えば、チョッパ回路１３０７のデューティサイクルおよび／または周波数を制御して、整流器１３１３から出力される直流電圧を制御するように、任意選択的および／または代替的に構成される。したがって、例えば、ＤＣ出力１１０２の負荷が増加すると（これは、フィードバック回路１３１５によってＤＣ電圧および／またはＤＣ電力の低下として測定され得る）、フィードバック回路１３１５は、チョッパ回路のデューティサイクルを減少させてデバイス１０１の電力出力を増加させ得る。電源１１３のフィードバック制御ルーティングは、実線で示される電力ルーティングと区別するために破線で示される。
【００７７】
図示されるように、電源は、チョッパ回路１３０７に電力を供給するように構成された補助低電圧電源１３１９をさらに備える。例えば、図示されるように、補助低電圧電源１３１９は、バックレギュレータ１３０５の出力によって電力を供給され得る。
【００７８】
あるいは、および／またはチョッパ回路１３０７に電力を供給するように構成された補助低電圧電源１３１９に加えて、平面変圧器１３０９の補助コイルを使用して、チョッパ回路１３０７に少なくとも部分的に電力を供給してもよい。
【００７９】
前述のように、ＡＣ−ＤＣ電源１１３のコンポーネントはＰＣＢ１３０１上に配置されている。電源１１３のそれぞれのコンポーネントがＰＣＢの厚さ（例えば、ＰＣＢ１３０１の厚さ）の１つ以上であり、表面実装不可で、かつＰＣＢ１３０１上の所定の最大高さを超える場合、コンポーネントを第１の本体１１１（約５ｍｍ〜約８．５ｍｍの外部厚さを有し得る）に適合させるため。）、それぞれのコンポーネントは、ＰＣＢ１３０１のカットアウトに配置できる。実際、そのようなコンポーネントをカットアウトに配置することで、電源１１３の背の高い（例えば、ＰＣＢ１３０１の厚さよりも大きい）電気コンポーネントに対応しながら、電源１１３の電力損失を（例えば、成功したプロトタイプで）２０％未満に最小化でき、および／または電源１１３の放熱を支援することができる。例えば、少なくとも平面変圧器１３０９は、そのようなカットアウトに配置されてもよい。
【００８０】
一般に、平面変圧器は、より低い電圧のＤＣ電源で使用できる。電源の平面変圧器１３０９をＡＣ電力で使用するように適合させることは、バックレギュレータ１３０５およびチョッパ回路１３０７を使用して、（例えば、バックレギュレータ１３０５を使用して）電源１１３へのＡＣ電力入力をステップダウンし、（例えばチョッパ回路１３０７を使用して）バックレギュレータ１３０５の整流されたＡＣ電力をパルスにチョッピングすることによって達成され得る。
【００８１】
いくつかの例では、電源１１３は、例えば整流器１３１３とＤＣ出力１１０２との間に（および、フィードバック回路１３１５が整流器１３１３の出力および／または二次バックレギュレータへの入力を測定するように、フィードバック回路１３１５の後に）二次バックレギュレータ１３５１を含むように適合され得る。このような二次バックレギュレータ１３５１は、過渡応答などを改善および／または調整するために、整流器１３１３を介してプッシュプルコンバータ１３０６からＤＣ出力１１０２へのＤＣ出力電圧および電流を調整および／または制御し得る。
【００８２】
一般に、電源１１３は、電圧供給型バック（レギュレータ）プラスプッシュプル（コンバータ）トポロジを含む。したがって、図示されていないが、バックレギュレータ１３０５は出力コンデンサを含む。しかしながら、電源１１３は、それぞれのバックレギュレータが出力コンデンサを含まない電流供給型バックプラスプッシュプルトポロジに適合させることができ、これにより、電流供給型バックプラスプッシュプルトポロジは、電圧供給型バックプラスプッシュプルトポロジよりもコンパクトになる。さらに、電流供給型バックプラスプッシュプルトポロジでは、バックレギュレータ（例えば、バックレギュレータ１３０５と同様）は、電流源を使用してそれぞれのプッシュプルコンバータ（例えば、プッシュプルコンバータ１３０６と同様）を駆動し、電圧供給型バックプラスプッシュプルトポロジと比較して、動作範囲全体で電源のコンポーネントのトランジスタおよび／またはＭＯＳＦＥＴ（金属酸化膜半導体電界効果トランジスタ）へのストレスが減少する可能性がある。
【００８３】
図示されるように、電源１１３（例えば、図１３Ａに示される）は、例えば、電源１１３（および／または本体１１１）とフェースプレート１０３との間の適切な接続を介して、ＭＣＵ１１１５と通信する１つ以上の温度センサ１３５２（例えば、１つ以上のサーミスタ）を含み得る。これらの例では、ＭＣＵ１１１５は、例えば内部デバイス監視のために、電源１１３の温度を監視するために１つ以上の温度センサ１３５２から温度測定値を受け取る。１つ以上の温度センサ１３５２が複数の温度センサおよび／または読み取り位置を含む場合、ＭＣＵ１１１５は、複数の温度読み取り値を受け取り、電源１１の温度勾配マップ（例えば、電源１１３での複数の温度センサの位置は、ＭＣＵ１１１５でおよび／またはＭＣＵ１１１５と通信するメモリで事前構成されてもよい。）を決定することができる。これらの例では、ＭＣＵ１１１５は、フィードバック回路１３１５と（例えば、適切な接続を介して）通信し、フィードバック回路１３１５に信号を送って、バックレギュレータ１３０５および／またはチョッパ回路１３０７を制御して、例えば、電源１１３の温度（および／または温度勾配マップの温度）が閾値温度を超えたとき、電源１１３によって生成される電力を低減することができる。これらの例のいくつかでは、ＭＣＵ１１１５は代替的に、例えば優先度に基づいて（例えば、それぞれのバッテリなどの充電状態、および／または任意の他の適切なパラメータに基づいて）コネクタ１３１、１３２、１３３、１３４に接続された外部装置への電力削減のルーティングを制御することができる。
【００８４】
これらの例のいくつかでは、図示のように、電源１１３は、ＭＣＵ１１１５に関して上述したように（例えば、電源１１３のＭＣＵは、フィードバック回路１３１５と通信しており、電力低減は閾値温度に基づくことができる）、１つ以上の温度センサを介して電源１１３の温度（および／または温度勾配マップ）も測定できて、電力を低減して温度を下げるようにフィードバック回路１３１５を制御できる、少なくとも１つのＭＣＵ（例えば、「温度センサ／ＭＣＵ１３５２」で示されるオプションの「ＭＣＵ」）を含むことができる。ＭＣＵ１１１５および電源１１３のＭＣＵの両方がフィードバック回路１３１５と通信しているとき、ＭＣＵ１１１５および電源１１３のＭＣＵの一方が優先権を有し、それに応じてフィードバック回路１３１５を制御し、および／または、ＭＣＵ１１１５および電源１１３のＭＣＵが連携して動作することができる。
【００８５】
次に、図１３Ｂに注目すると、図１３Ｂは、整流器１３０３と同様であり得るＡＣ入力１１０１に接続された整流器１３０３ａを含み、一般にＡＣ電力を整流し、そこから外れ値を除去する、多相フライバックトポロジを有する代替電源１１３ｂを示す。整流器ｌ３０３ａは、並列に接続され、互いに同期および／または同相で動作する２つ以上のフライバック回路（例えば、図示の「ｎ」フライバック回路）に電力を分配する。各フライバック回路は、整流器と通信する平面変圧器と通信するそれぞれのフライバックコントローラおよび／またはコンバータを備える。例えば、図示のように、第１のフライバック回路は、整流器１３ｌ３ａ−１（例えば、同期整流器、および／または整流器１３１３と同様であり得る）と通信する平面変圧器１３０９ａ−１（これは平面変圧器１３０９と同様であり得る）と通信するフライバックコントローラおよび／またはコンバータ１３５０−１を備える。同様に、図示のように、「ｎ番目」のフライバック回路は、整流器１３ｌ３ａ−ｎ（例えば、同期整流器、および／または整流器１３１３と同様であり得る）と通信する平面変圧器ｌ３０９ａ−ｎ（これは平面変圧器１３０９と同様であり得る）と通信するフライバックコントローラおよび／またはコンバータ１３５０−ｈを備える。フライバック回路からの出力は結合され、バックレギュレータ１３５１ａに供給される（これは、バックレギュレータ１３５１と同様に、ＤＣ出力１１０２へのフライバック回路の出力を調整および／または制御し得る）。一般に、フライバック回路の各々は、整流器１３０３ａの出力の一部をＡＣ電力からＤＣ電力に変換し、および／またはそのような変換をそれらの間に分配する。したがって、フライバック回路の各々は、より低い電圧および電流を提供するが（例えば、図１３Ａの電源１１３の電圧供給型バックプラスプッシュプルトポロジと比較して）、それらは集合的に同様の電力出力を提供する。図示されるように、電源１１３ａは、フライバック回路からの出力を監視し、その所与の出力電力を維持するようにフライバックコントローラおよび／またはコンバータ１３５０を制御するフィードバック回路１３１５ａを含む。電源１１３ａのフィードバック制御ルーティングは、実線で示される電力ルーティングと区別するために破線で示される。図示されていないが、電源１１３ａは、フィードバック回路１３１５ａとフライバックコントローラおよび／またはコンバータ１３５０との間に、光カプラ１３１７と同様の光カプラを含み、電源１１３内のＤＣ電力とＡＣ電力との間の分離を維持することができる。
【００８６】
電源１１３は、ハーフブリッジトポロジ（例えば、バックプラスプッシュプルトポロジのプッシュプルコンバータに取って代わるもの）を含むがこれに限定されない、さらに別のタイプのトポロジを含み、これは、バックプラスハーフブリッジトポロジとも呼ばれる。これらの例では、バックプラスプッシュプルトポロジには平面変圧器１３０９のボリュームの約半分を占める２セットのコイルが含まれるが、ハーフブリッジトポロジには、同じ変圧器ボリュームでの巻数の４分の１に相当する１セットのコイルしか含まれない。したがって、１つのコイル（銅など）の配線は、バックプラスプッシュプルトポロジのコイルと比較して太くすることができ、ＤＣ抵抗を改善し、変圧器効率をさらに改善（および／または損失を低減）することができる。しかしながら、ハーフブリッジプラスハーフブリッジトポロジは、バックプラスプッシュプルトポロジ上の追加のコンデンサと、例えばそのチョッパ回路におけるより複雑なＭＯＳＦＥＴ制御回路とを含む。
【００８７】
さらに別の例では、電源１１３は、限定されないが、ハーフブリッジトポロジと同様のフルブリッジトポロジ（例えば、フルブリッジプラスハーフブリッジトポロジおよび／またはバックプラスフルブリッジトポロジ）を含み得て、これは単一のコイルを含むが、４つのＭＯＳＦＥＴ（チョッパ回路など）と４つの出力とを備える。
【００８８】
さらに別の例では、電源１１３は、限定されないが、アクティブクランプ／リセットを伴う、またはアクティブクランプ／リセットを伴わない１つ以上のフォワードコンバータトポロジを含み得る。  さらに別の例では、電源１１３は、他の絶縁スイッチモード電源（ＳＭＰＳ）などを含むことができるが、これらに限定されない。
【００８９】
実際、電源１１３は、任意の適切なトポロジおよび／またはトポロジの組み合わせ（例えば、本明細書に記載されるようにおよび／またはそうでなければ企図されるように）を含み得る。
【００９０】
次に、平面変圧器１３０９を図１４、図１５および図１６に関して説明する。図１４、図１５および図１６は、それぞれ、平面変圧器１３０９の斜視図、平面変圧器１３０９の一次側／回路および二次側／回路、ならびに平面変圧器１３０９の層の概略的ダイヤグラムを示す。
【００９１】
図１４を参照すると、平面変圧器１３０９は、高さが６．５ｍｍ未満で、フェライト材料を含み得るが、他のタイプの磁気材料も本明細書の範囲内である、磁気コア１４０１を含む。図示のように、平面変圧器は「Ｅ字型」であり、２つの開口部１４０２（例えば、それぞれ高さが６．５ｍｍ未満）が、その間に、例えばＰＣＢ上に位置する一次回路および二次回路が巻かれる中央部分を形成する。しかしながら、他の例では、磁気コア１４０１は、任意の適切な形状であってもよく、Ｅ字形でなくてもよい。
【００９２】
例えば、一次回路および二次回路は、個々の２層ＰＣＢまたは２つ以上の多層ＰＣＢのコイルの層を含み得る。いくつかの例では、平面変圧器１３０９は難燃剤４（ＦＲ−４）材料を含み、例えば、ＰＣＢおよび／または一次回路および二次回路の層間の絶縁材料は、ＦＲ−４材料を含むことができる。
【００９３】
図１４に示すように、一次回路および二次回路、ならびにそれらの間の絶縁材料は、開口部１４０２が層１４０３によって隠されているので、破線で示される開口部１４０２を通って延びる層１４０３として示されている。一次回路および二次回路は、開口部１４０２によって定義されるように、一般に、磁気コア１４０１の中央部分に巻き付くおよび／または巻かれているので、一次回路および二次回路は、磁気コア１４０１と物理的に統合されていると呼ばれれる。
【００９４】
また、図１４には、チョッパ回路１３０７が接続され得る（例えば、平面変圧器１３０９への入力として）一次回路への接続１４０５、および整流器１３１３が接続され得る（例えば、平面変圧器１３０９からの出力として）二次回路への接続１４０７が概略的に示されている。しかしながら、接続１４０５、１４０７の図示された位置は変更され得、一次回路および二次回路の物理的レイアウトに依存し得ることが理解される。
【００９５】
例えば、次に図１５に注目すると、図１５は、例えばＰＣＢ１５０３上に配置された平面変圧器１３０９の一次回路１５０１および二次回路１５０２のコイルを示す（そのうちの１つだけが図１５に示されているが、図１５の長方形はＰＣＢ１５０３に対応することが理解され、ＰＣＢ１５０３には、２層ＰＣＢ、または２つ以上の多層ＰＣＢなどが含まれ得るが、これらに限定されない。）。さらに、磁気コア１４０１は図１５には示されていないが、一次回路および二次回路のコイルは、磁気コア１４０１の中央部に巻き付いていることがわかる。
【００９６】
図示のように、一次回路１５０１は、磁気コア１４０１の中心部分の周りのＰＣＢ１５０３上の複数の一次コイル１５１１を含み、各々は中心１５１３および外端１５１５を有するスパイラル形状である。  図示のように、１つのコイル１５１１、１つの中心１５１３および１つの外端１５１５のみが示されているが、図示の例では、一次回路１５０１は４つの一次コイル１５１１を含むことが図１５から理解される。図示のように、最初の一次コイルおよび最後の一次コイル１５１１（例えば、図示のように、上部一次コイルおよび下部一次コイル１５１１）のそれぞれの外端１５１５は、チョッパ回路１３０７と通信し得る。特に、最初と最後の一次コイル１５１１の外端１５１５は、接続１４０５に対応する。さらに、隣接する一次コイル１５１１は、中心から中心１５１３または外端から外端１５１５のいずれかに接続され得、その結果、複数の一次コイル１５１１は、磁気コア１４０１の中央部分の周りの同じ螺旋方向の第１の連続回路として、一次回路１５０１を形成する。例えば、図示のように、図１５における上部一次コイル１５１１と上部一次コイル１５１１からの第２のコイル１５１１は、例えばＰＣＢ１５０３を通るビアを使用して、中心間１５１３で接続される。  同様に、図示のように、図１５における第２および第３の一次コイル１５１１は、例えばＰＣＢ１５０３を通るビアを使用して、外端から外端１５１５に接続される。コイル１５１１の螺旋の特定の方向が示されているが、コイル１５１１は、一次回路１５０１を形成するために任意の適切な方向に螺旋を描くことができる。
【００９７】
同様に、二次回路１５０２は、磁気コア１４０１の周りに複数の二次コイル１５２２を備え、各々が円形および／または楕円形であり、接続されて、磁気コア１４０１の中央部分に巻き付けられた第２の連続回路として第２の回路１５０２を形成する。コイル１５２２の各々は、２つの端部１５２３を有する。
【００９８】
図示のように、１つのコイル１５２２および一対の端部１５２３のみが示されているが、図示の例では、二次回路１５０２は４つの二次コイル１５２２を含むことが図１５から理解される。図示されるように、最初の二次コイルおよび最後の二次コイル１５２２（例えば、図示されるように、上部二次コイルおよび下部二次コイル１５２２）のそれぞれの端部１５２３は、整流器１３１３と通信し得る。特に、最初と最後の二次コイル１５２２の端部１５２３は、接続１４０７に対応する。さらに、隣接する二次コイル１５２２は、複数の二次コイル１５２２が磁気コア１４０１の中心部分の周りの同じ螺旋方向に第２の連続回路として二次回路１５０２を形成するように、端と端１５２３とが接続されてもよい。コイル１５２２の螺旋の特定の方向が示されているが、コイル１５２２は、二次回路１５０２を形成するために任意の適切な方向に螺旋を描くことができる。
【００９９】
さらに、図示の例では、コイル１５１１、１５２２は、電圧を約５０Ｖから約５Ｖに降圧するように選択されている。
【０１００】
平面変圧器１３０９はまた、複数の一次コイル１５１１の各々と複数の二次コイル１５２２との間に絶縁材料（例えば、ＰＣＢ１５０３）を含むことがさらに理解される。
【０１０１】
実際、次に、図１６に注目すると、図１６は、一次コイル１５１１、二次コイル１５２２、および絶縁材料１６０３の層の概略的ダイヤグラムを示す。図示のように、平面変圧器１３０９は、（例えば、磁気コア１４０１の中央部分の周りに）上から順に、以下のものを含む：絶縁材料の第１の層１６０３、第１の一次コイル１５１１、絶縁材料の第２の層１６０３、第１の二次コイル１５２２、絶縁材料の第３の層１６０３、第２の二次コイル１５２２、絶縁材料の第４の層１６０３、第２の一次コイル１５１１、絶縁材料の第５の層１６０３、第３の一次コイル１５１１、絶縁材料の第６の層１６０３、第３の二次コイル１５２２、絶縁材料の第７の層１６０３、第４の二次コイル１５２２、絶縁材料の第８の層１６０３、第４の一次コイル１５１１、絶縁材料の第９の層１６０３。
【０１０２】
したがって、平面変圧器１３０９は、２つのそれぞれの一次コイル１５１１の間に位置する２つの二次コイル１５２２の一般的な構造を有し、この構造が平面変圧器１３０９内で２回繰り返される。他の構成では、この構造は、平面変圧器１３０９において２回より多く繰り返されてもよく、平面変圧器１３０９の寸法はそれに応じて調整される。さらに、例えば、図１３Ａに示すように電源１１３の成功したプロトタイプに組み込まれた、例としての平面変圧器１３０９の成功したプロトタイプ（例えば、最初は電気モデルに基づいており、ブレッドボード設計を使用して確認された）は、約４Ａを超える電流で５ＶのＤＣ出力を提供した。しかしながら、平面変圧器１３０９ならびに一次コイル１５１１および二次コイル１５２２の他の構成および／またはレイアウトは、本明細書の範囲内である。
【０１０３】
図１６には、例えば、図１６（例えば、絶縁材料の第９の層１６０３の下）に示される層のスタックの端部で、一次コイル１５１１および二次コイル１５２２の外側に配置される補助コイル１６０５も示され、補助コイル１６０５は、チョッパ回路１３０７に電力を供給するように構成される。補助コイル１６０５の下に絶縁材料の第１０の層１６０３が設けられて、補助コイル１６０５を磁気コア１４０１から絶縁する。実際、絶縁材料の第１の層１６０３は、第１の一次コイル１５１１を磁気コア１４０１から絶縁する。
【０１０４】
一般に、平面変圧器１３０９のそれぞれの層の各々の厚さ、特に絶縁材料１６０３の厚さは、一次回路１５０１を二次回路１５０２から分離し、同じタイプのコイル（例えばコイル１５１１またはコイル１５２２）間の分離を最小限にし、および異なるタイプのコイル（例えば、コイル１５１１、１５２２）間の分離を最大化するように選択される。例えば、同じタイプのコイル間の分離は最小化され、異なるタイプのコイル間の分離は、平面変圧器１３０９における損失を低減する。
【０１０５】
さらに、図１３Ａ、図１４および図１５の電源１１３は、デバイス１０１との統合に関して説明されているが、電源１１３は、他のタイプのデバイスと共に使用され得、および／または他のタイプのデバイスと共に使用するためのスタンドアロンコンポーネントとして提供および／または販売され得る。したがって、ＰＣＢ１３０１は、第１の本体１１１と互換性のある形状であるが、ＰＣＢ１３０１は、任意の適切な形状およびサイズであってもよい。
【０１０６】
さらに、デバイス１０１と共に使用するための他のタイプの電源は、本明細書の範囲内である。  例えば、電源１１３と同様の電源を設けることができるが、これにはバックレギュレータ１３０５がない。これらの例では、フィードバック回路１３１５は、整流器の出力を制御するためにチョッパ回路１３０７を制御するように適合され得、チョッパ回路１３０７は、ＡＣ入力１１０１および／または全波整流器１３０３から電力を引き出す補助電源によって給電され得る。
【０１０７】
次に、図１７、図１８、図１９および図２０に注目すると、これらは、例示的な格納機構１５２およびコネクタ１３１、１３２の詳細を示す。例示的な格納機構１５２は、デバイス１０１との統合に関して説明されているが、例示的な格納機構１５２は、他のタイプのデバイスと共に使用され得、および／または他のタイプのデバイスとともに使用するためのスタンドアロンコンポーネントとして提供されおよび／または販売され得る。
【０１０８】
まず、図１７に注目すると、図１７は、第２の本体１１２の壁１３８が取り外された（例えば、図４と比較して）デバイス充電器１０１の右側面図を示す。このように、Ｔ字形コネクタ１３６から延びるコネクタ１３１、１３２、ならびに凹部１３７のさらなる詳細が図示され、電気回路１１２４はＴ字形コネクタ１３６の内部にあるので、電気回路１１２４については破線で示されている。
【０１０９】
図１７は、第１の歯車１７０１および、第１の歯車１７０１と連動する第２の歯車１７０２を含む格納機構１５２の詳細をさらに示す。図示のように、第１の歯車１７０１はボタン１５５に隣接しており、第２の歯車は凹部１３７および／またはＴ字形コネクタ１３６に隣接している。さらに、歯車１７０１、１７０２の各々は、開口部１０５に隣接する第２の本体１１２の壁を少なくとも部分的に形成し、かつ第２の本体１１２に剛性を提供することができるＰＣＢ１７０３上に取り付けられる。さらに、第１の歯車１７０１の一部は、以下により詳細に説明するように、例えば、ＤＣ出力１１０２から格納式コード１３５に電力を伝達する第１の歯車１７０１の一部であるＰＣＢを含み得る。
【０１１０】
第１の歯車１７０２は、概して、以下のものを含む。格納式コード１３５が周りに巻き付けられるスピンドル１７０４、および、フェースプレート１０３の電気回路１１０３を介したＡＣ−ＤＣ電源１１３のＤＣ出力１１０２との電気通信において、格納式コード１３５から対称的同心マルチリングスリップリング（図１９Ａおよび図１９Ｂに詳細に示される）へのスピンドル１７０４の周りのそれぞれの電気接続１７０５。
【０１１１】
格納式コード１３５は、ＤＣ電圧をコネクタ１３１、１３２に運ぶ「高」電線および「低」電線をその中に少なくとも含み、電気接続１７０５は、格納式コード１３５のそれぞれの電線に接続されることが理解される。
【０１１２】
図１７には第２の歯車１７０２も示されていて、第２の歯車１７０２は、第１の歯車１７０２に張力を提供して、第２の歯車１７０２に第１の歯車１７０１を回転させて、例えば格納式コード１３５が延伸されるときに格納式コード１３５を格納するためのばね機構１７０７を含む。図示のように、ばね機構１７０７は、第２の歯車１７０２の中心に取り付けられ、第２の歯車１７０２の中心の周りに同心円状に配置され、さらに第２の歯車１７０２の外壁１７０８に取り付けられた、第２の歯車１７０２の内部のばねを含む。したがって、第２の歯車１７０２が回転するとき、格納式コード１３５がデバイス１０１から（例えば、ハンドル１４３を介して）延伸されるにつれて第１の歯車１７０１が回転するのに応答して、ばね機構１７０７のばねが締まり、第１の歯車１７０１に張力がかかる。
【０１１３】
図１７に戻ると、格納機構１５２は、格納式コードが延伸するにつれて第１の歯車１７０１および第２の歯車１７０２が格納式コード１３５を格納するのを防止するためのラチェット１７０９をさらに備える。格納機構１５２は、フェースプレート１０３の前側１０６にボタン１５５をさらに備え、ボタン１５５はラチェット１７０９に機械的に接続され、ボタン１５５は、ボタン１５５が作動されると、第２の歯車１７０２がばね機構１７０７を介して回転し、第１の歯車１７０１に格納式コード１３５を格納させてスピンドル１７０４の周りに巻き付けるように、ラチェット１７０９を解除するように構成される。
【０１１４】
例えば、図示のように、ラチェット１７０９は、第１の歯車１７０１の第１の歯１７２１と係合するように配置され、格納式コード１３５が延伸するにつれて第１の歯車１７０１が格納式コード１３５を格納するのを妨げる。第１の歯車１７０１が回転するにつれて第１の歯１７２１の各々がラチェット１７０９を通過するとき、次の歯１７２１がラチェット１７０９によって係合される。しかしながら、ボタン１５５が作動されると、ラチェット１７０９は、第１の歯車１７０１の第１の歯１７２１との係合から解放される（例えば、ボタン１５５の作動により、ラチェットを中央ピボット点の周りを回転させて、ラチェット１７０９を第１の歯１７２１から解放する。）。図示されていないが、ボタン１５５は、ラチェット１７０９が第１の歯１７２１と係合する位置にボタン１５５を付勢するばね機構を含み得ることがさらに理解される。
【０１１５】
しかし、他の例では、ラチェット１７０９は、第２の歯車１７０２の第２の歯１７２２と係合するように配置されて、格納式コード１３５が延伸するにつれて第２の歯車１７０２が格納式コード１３５を格納するのを妨げる。これらの例では、ラチェット１７０９は、ラチェット１７０９からボタン１５５まで延在する例えばアームなどを介して、この位置でボタン１５５によって解放されるようにさらに適合される。
【０１１６】
図示のように、第２の歯車１７０２は、外壁１７０８から（例えば、第２の歯１７２２の「上」、図１８を参照）延びるアームおよび／または「歯」１７３０をさらに備える。いくつかの例では、ラチェット１７０９は、第２の歯車１７０２の歯１７３０と係合するように配置され、格納式コード１３５が延伸するにつれて第２の歯車１７０２が格納式コード１３５を格納するのを防止することができる。これらの例では、歯１７３０が次にラチェット１７０９に係合する前に、第２の歯車１７０２が１回転する（例えば、第２の歯車１７０２が３６０°回転するたびにラチェットが歯１７３０に係合する）。これは、格納機構１５２のノイズを低減するために望ましい（例えば、ラチェット１７０９が歯１７２１、歯１７２２または歯１７３０に係合するたびに、クリック音が発生する可能性がある）。実際、第２の歯車１７０２の第２の歯１７２２（および／または歯１７３０）に対する、第１の歯車１７０１の第１の歯１７２１の比は、１超、１未満、または１であり得る。
【０１１７】
図示されていないが、デバイス１０１は、格納式コード１３５をガイドするためのガイドポストをさらに含み得、これはまた、格納式コード１３５が延伸されおよび／または格納されるにつれて張力緩和を提供し得る。実際、格納式コード１３５は、例えばオーバーモールド材料を介してＴ字形コネクタ１３６に接続されることがさらに理解される。したがって、格納式コード１３５および／またはＴ字形コネクタ１３６の取り付け領域は、張力緩和を提供することができる。
【０１１８】
いくつかの例では、格納式コード１３５の長さは、約３０インチから約４０インチの間の長さとすることができる。いくつかの例では、格納式コード１３５は、格納時に格納機構１５２のコンパクトな空間内（例えば、スピンドル１７０４の周り）に適合するように、幅が約３ｍｍ、厚さが約１．１ｍｍの断面を有するように適合され得る。しかしながら、格納式コード１３５は、幅が約４ｍｍ、厚さが約１．５ｍｍの断面で３６インチよりも短くてもよい（この幅広でより厚いコードは、格納機構１５２のコンパクトな空間内（例えば、スピンドル１７０４の周り）に適合するために長さが短いだろう。）。いくつかの例では、格納式コード１３５は、約１００オーム／ｋｍ未満の抵抗を有し得る。
【０１１９】
次に、図１８に注目すると、図１８は、歯車１７０１、１７０２の側面図を示す。図１８から、歯車１７０１、１７０２の各々の歯１７２１、１７２２が、ＰＣＢ１７０３に隣接する歯車１７０１、１７０２の側にあることは明らかである。例えば、第２の歯車１７０２の外壁１７０８は、第２の歯車１７０２から円筒状に延びて、ばね機構１７０７のばねを収容する。図示されていないが、第２の歯車１７０２は、ばね機構１７０７のばねを囲むためのカバーをさらに含み得る。
【０１２０】
図１８から、第１の歯車１７０１のスピンドル１７０４が第１の歯車１７０１から垂直に延び、格納式コード１３５がスピンドル１７０４の周りを包み、第１の歯１７２１が延びる第１の歯車１７０１の一部に存在することがさらに明らかである。
【０１２１】
次に、格納機構１５２の対称的同心マルチリングスリップリングが図１９Ａ、図１９Ｂに関して説明され、図１９Ａ、図１９Ｂは、第１の歯車１７０１が支持されおよび／または回転するＰＣＢ１７０３の一部、およびＰＣＢ１７０３に隣接する第１の歯車１７０１の側面をそれぞれ示す。
【０１２２】
図１９Ａを参照すると、２つの同心の導電リング１９０１、１９０２がＰＣＢ１７０３上に配置され、これらは電源１１３のＤＣ出力１１０２と（例えば、フェースプレート１０３の電気回路１１０３を介して）電気通信する。例えば、リング１９０１、１９０２の一方は、ＤＣ出力１１０２の「高」電気出力に接続され、リング１９０１、１９０２の他方は、ＤＣ出力１１０２の「低」電気出力に接続される。
【０１２３】
ＰＣＢ１７０３は、第１の歯車１７０１に回転支持を提供する開口１９０３をさらに含む。
【０１２４】
図１９Ｂを参照すると、第１の歯車１７０１は、複数のプロング１９１１、１９１２（図２０に関してより詳細に説明される）を含み、それらの各々は、第１の歯車１７０１と対称的同心マルチリングスリップリングの導電リング１９０１、１９０２との間に安定性を提供するように配置され、第１の歯車１７０１が回転するにつれて導電性リング１９０１、１９０２に電気的に接触する。さらに、複数のプロング１９１１、１９１２は、第１の歯車１７０１に挿入されたＰＣＢ（例えば、クローバー形状など（および／または任意の適切な形状）であり得る）に取り付けられ得、ＰＣＢは、複数のプロング１９１１、１９１２からスピンドル１７０４でのそれぞれの電気接続１７０５に電気的接続を提供する。プロング１９１１、１９１２の斜視図を示す図２０を参照すると、プロング１９１１、１９１２の各々は、それぞれの導電性リング１９０１、１９０２に向かって延在してそれと電気的に接触するばね部分２００１との導電性ばね接点を含む。
【０１２５】
例えば、図１７、図１９Ａおよび図１９Ｂを比較すると、プロング１９１１、１９１２が導電性リング１９０１、１９０２に接触すると電源１１３のＤＣ出力１１０２がコネクタ１３１、１３２に接続されるように、プロング１９１１、１９１２の各々は、スピンドル１７０４のそれぞれの電気接続１７０５と電気的に通信している。
【０１２６】
図示のように、プロング１９１１は、より大きいおよび／または外側の導電リング１９０１に接触するように配置され、プロング１９１２は、より小さいおよび／または内側の導電リング１９０２に接触するように配置される。さらに、第１の歯車１７０１が回転するときに安定性を提供する「Ｘ」パターンで配置された、８つのプロング１９１１、１９１２（例えば、４つのプロング１９１１および４つのプロング１９１２）が提供される。  別の言い方をすれば、一対のプロング１９１１、１９１２が第１の歯車１７０１の４つの半径に沿って配置され、４つの半径は９０°間隔であるが、適切なパターンで配置された適切な数のプロング１９１１、１９１２は、本明細書の範囲内である。
【０１２７】
図１９Ｂは、ＰＣＢ１７０３の開口部１９０３によって支持され得る第１の歯車１７０１の中心軸１９３３をさらに示す。図示されないが、ＰＣＢ１７０３および第２の歯車１７０２は、同様の開口／軸構成を含む。
【０１２８】
次に、図２１に注目すると、図２１は、例えば、デバイス１０１のユーザが、Ｔ字形コネクタ１３６のハンドル１４３をつかみ、凹部１３７からＴ字形コネクタ１３６を引っ張るときに、電気取り出しコンセント７０１と共に使用され、格納式ケーブル１３５（図２１に概略的に示される）を介して凹部１３７から延長されたＴ字形コネクタ１３６を有するデバイス１０１を示す。
【０１２９】
次に、図２２に注目すると、図２２は、外部装置２２０１と共に使用されるＴ字形コネクタを示す。デバイス１０１の残りの部分は図示されていないが、格納式コード１３５は、図２１に図示されたものと同様に、デバイス１０１から延びていることが理解される。
【０１３０】
特に、図２２は、外部装置２２０１を充電するために外部装置２２０１（例えば、携帯電話など）のポートに挿入されたコネクタ１３１を示す。図２２では、コネクタ１３１は破線で描かれており、コネクタ１３１が外部装置２２０１に差し込まれている、および／または現在外部装置２２０１の内部にあることを示している。
【０１３１】
さらに、図２２にも示されているように、コネクタ１３１を覆う可撓性カバー１３９の第１のフラップ１４１は、コネクタ１３１が外部装置２２０１に挿入され得るように、ハンドル１４３に向かって折り畳まれている。図２２では第２のコネクタ１３２は使用されていないので、第２のコネクタ１３２を覆う可撓性カバー１３９の第２のフラップ１４２は折り畳まれていない。しかしながら、第２のコネクタ１３２が第２の外部装置（図示せず）に挿入されて第２の外部装置を充電するときに、第２のフラップ１４２は、ハンドル１４３に向かって折り畳まれてもよい。例えば、可撓性カバー１３９および／またはフラップ１４１、１４２は、シリコーン材料および／または任意の他の適切な可撓性材料を含み得る。さらに、外部装置２２０１（および／または第２の外部装置）がそれぞれのコネクタ１３１、１３２から切断されるとき、フラップ１４１、１４２がカバーポジションに戻るように、フラップ１４１、１４２は、それぞれのコネクタ１３１、１３２を覆うように付勢され得る。
【０１３２】
図２２には、コネクタ１３１が外部装置２２０１に接続されていること、およびコネクタ１３２が接続されていないことを検出することができ、これにより、電力をコネクタ１３２ではなくコネクタ１３１に送ることができる、電気回路１１２４（電気回路１１２４は、Ｔ字形コネクタ１３６の内部にあるため、破線で示されている）も図示されている。
【０１３３】
図示されていないが、Ｔ字形コネクタ１３６は、オーバーモールドされた本体に少なくとも部分的に入れられてもよく、コネクタ１３１、１３２の１つ以上（例えば、複数のＰＣＢのうちの１つ以上は、電力をコネクタ１３１、１３２に分配する電気回路１１２４を含み得る。）を駆動するために一緒に接続および／または層化される複数のＰＣＢを含み得る。１つ以上のＰＣＢ（例えば、電気回路１１２４を含む）は、オーバーモールドされた本体内に適合するように選択される。例えば、成功したプロトタイプでは、Ｔ字形コネクタ１３６のオーバーモールド本体は、約１３．５ｍｍ（＋／−１．５ｍｍ）の高さ（例えば、コネクタ１３１、１３２間の軸に沿って）、約１０ｍｍ（＋／−１ｍｍ）の深さ（例えば、前から後ろまで、またはハンドル１４３がフラップ１４１、１４２に取り付けられている場所から、格納式コード１３５がＴ字形コネクタ１３６に取り付けられている場所まで）、約６ｍｍ（＋／−１ｍｍ）（例えば、左右）である。
【０１３４】
Ｔ字形コネクタ１３６内の複数のＰＣＢの形状および取り付け構成は、コネクタ１３１、１３２のタイプに依存し得る。コネクタ１３１がアップル（登録商標）ライトニング（登録商標）コネクタを含み、コネクタ１３２がＵＳＢ−Ｃコネクタを備える例では、ライトニング（登録商標）コネクタから延在するＰＣＢ（例えば、後端で）は、例えばロックアンドキーなど、ＵＳＢ−Ｃコネクタ（例えば、これも後端で）のＵ字形ＰＣＢの開口部に適合し、このロックアンドキーＰＣＢ構成の上に第３のＰＣＢを重ねて、コネクタ１３１、１３２の下にある２つのＰＣＢに隣接して電気的に接続することができる。この構成では、電気回路１１２４は、第３のＰＣＢに配置され得、第３のＰＣＢは、Ｔ字形コネクタ１３６、コネクタ１３１、１３２のＰＣＢ、および格納式コード１３５の間の主要な電気接続であり得る。コネクタ１３１、１３２の代替例では、Ｔ字形コネクタ１３６内の複数のＰＣＢの形状および構成は、コネクタ１３１、１３２の電気的および／または物理的仕様に対応するように適合され得る（例えば、１つ以上のコネクタ１３１、１３２の場合は、他のタイプのコネクタを含む）。
【０１３５】
さらに、図１３Ａ、図１４および図１５の電源１１３、図１７、図１８および図１９の格納機構１５２、図２０、図２１のＴ字形コネクタの各々は、デバイス１０１以外のデバイスで実施されてもよく、および／または、各々が使用または販売のためおよび／または他のタイプのデバイスとの統合のためのスタンドアロンコンポーネントとして提供されてもよい。
【０１３６】
さらに、デバイス１０１は、他のタイプの電源および／または他のタイプの格納機構および／または他のタイプのコネクタを含むように適合され得る。
【０１３７】
さらに、デバイス１０１は、例えば図１２に示されるように、第２の本体１１２にバッテリを含むように適合されてもよく、格納機構を備えていなくてもよい。
【０１３８】
さらに、デバイス１０１は、フェースプレート１０３に充電ポートのみを含んでもよく、格納機構を含まなくてもよい。これらの例では、第２の本体１１２は、電気接点１２２を含み、他の電気部品を含まないように適合され得、第２の本体１１２のサイズおよび形状は、それに応じて適合される。例えば、いくつかの例では、第２の本体１１２は、フェースプレート１０３の後側１０８からの剛性延長部を含むことができ、その剛性延長部には、電気接点１２２がその上に取り付けられ、剛性延長部の厚さおよび／または材料が維持されるように構成される。例えば、そのような剛性延長部は、適切な絶縁材料がそのような電気的経路を覆いおよび／または包む、電気接点１２２がその上に取り付けられ、フェースプレート１０３の電気回路１１０３への電気的経路を有するＰＣＢを含み得る。
【０１３９】
いくつかの例では、デバイス１０１は、電源１１３によって給電されるネットワーキングアダプターおよび／または電力線ネットワーキングアダプターなどの通信デバイスを含むがこれらに限定されない、第２の本体１１２に他のタイプのデバイスを含むように適合され得る。これらの例のいくつかでは、フェースプレート１０３は、前側１０６にネットワークコネクタを含み得る。
【０１４０】
さらに別の例では、デバイス１０１は、連結された電気取り出しコンセントおよび／または連結された電気取り出しコンセントを含むジャンクションボックスでの使用に適合させることができる。そのような例では、デバイス１０１および／またはフェースプレート１０３は、そのような連結された電気取り出しコンセントおよび／またはジャンクションボックスの寸法に適合される。さらに、デバイス１０１は、複数の開口部１０５、例えば、連結された各電気取り出しコンセントの各々の開口部１０５を含むことができる。さらに、これらの例では、第１の本体１１１および／または第２の本体１１２は、２つの開口部１０５の間および／または２つの連結された電気取り出しコンセントの間を延びるように適合され得る。
【０１４１】
次に、図２３Ａに注目すると、図２３Ａは、デバイス１０１と同様のデバイス２３０１Ａの上面図を概略的に示し、２つの開口部２３０５Ａ（フェースプレート１０３を貫通した開口部１０５と同様に開口部２３０５Ａがフェースプレート２３０３Ａを貫通していることを示すために破線で示されている）を有するフェースプレート２３０３Ａ、フェースプレート２３０３Ａの後側から延びる第１の本体２３１１Ａ、第２の本体２３１２Ａ、および第３の本体２３１３Ａ、を含む。本体２３１１Ａ、２３１２Ａ、２３１３Ａのうちの第１のものは、電源１１３と同様の電源を含み得、本体２３１１Ａ、２３１２Ａ、２３１３Ａのうちの第２のものは、格納機構１５２と同様の格納機構を含み得、本体２３１１Ａ、２３１２Ａ、２３１３Ａのうちの第３のものは、バッテリ１２０１と同様のバッテリを含み得る。そのようなコンポーネントは、任意の適切な組み合わせで本体２３１１Ａ、２３１２Ａ、２３１３Ａに提供され得、本体２３１１Ａ、２３１２Ａ、２３１３Ａは、本明細書に記載されるコンポーネントの任意の適切な組み合わせを含み得る。さらに、これらの例では、フェースプレート２３０３Ａの電気回路は、図１１および図１２に示される両方の例のコンポーネントを含み得る。（コネクタ１３１、１３２、１３３、１３４と同様の）電気コネクタは図示されていないが、それでもそれらは存在すると仮定されている。
【０１４２】
さらに、いくつかの例では、デバイス２３０１Ａは、本体２３１１Ａ、２３１２Ａ、２３１３Ａのうちの少なくとも２つを結合するように適合され得る。
【０１４３】
例えば、次に図２３Ｂに注目すると、図２３Ｂは、デバイス２３０１Ａと同様のデバイス２３０１Ｂの上面図を概略的に示し、２つの開口２３０５Ｂ（開口２３０５Ｂがフェースプレート２３０３Ｂを貫通していることを示すために破線で示されている）を有するフェースプレート２３０３Ｂ、フェースプレート２３０３Ｂの後側から延びる第１の本体２３１１Ｂ、第２の本体２３１２Ｂ、および第３の本体２３１３Ｂを含み、それらは、電源、格納機構、およびバッテリを含む。しかしながら、デバイス２３０１Ａとは対照的に、本体２３１１Ａ、２３１２Ｂは結合され、開口部２３０３Ｂの間に配置される。
【０１４４】
一部の管轄区域では、電気取り出しコンセント（例えば、ヨーロッパなどの一部の管轄区域）には、電気取り出しコンセント（例えば、一体型本体）と統合されたフェースプレートが設けられており、デバイス１０１は、それに応じて適合され得る。これらの例では、デバイス１０１は、開口部および／または接点１２１、１２２を含まなくてもよい。むしろ、デバイス１０１は、ジャンクションボックス内の既存の電気取り出しコンセントおよびフェースプレートの組み合わせを置き換えるように構成され得、デバイス１０１は、ジャンクションボックス内の幹線電源へのコネクタを含むように適合される。これらの例では、デバイス１０１は、図１３Ａ、図１４および図１５の電源１１３、図１７、図１８および図１９の格納機構１５２、図２０および図２１のＴ字形コネクタの任意の適切な組み合わせを含み得る。
【０１４５】
例えば、次に図２４に注目すると、図２４は、デバイス１０１と実質的に同様であるデバイス２４０１の斜視図を示し、同様のコンポーネントは同様の番号を有するが、「１００」シリーズではなく「２４００」シリーズである。  さらに、デバイス２４０１のいくつかの内部コンポーネントおよび／または凹部コンポーネントおよび／または格納コンポーネントは、図２４には示されていないが、それにもかかわらず、それらは存在すると理解される。
【０１４６】
デバイス２４０１は、開口部を含まず、ジャンクションボックス内の既存の電気取り出しコンセントおよびフェースプレートの統合された組み合わせに取って代わる形状およびサイズのものである。図示のように、デバイス２４０１は、少なくとも１つの電気コネクタ、例えば、それぞれコネクタ１３１、１３２、１３３、１３４と同様のコネクタ２４３１、２４３２、２４３３、２４３４が配置される前側２４０６を含む本体２４１１を含む。
【０１４７】
デバイス２４０１は、電源２４１３（図１３Ａ、図１４および図１５の電源１１３と同様であっても異なっていてもよく、電源２４１３がデバイス２４０１の内部に配置されているので破線で示されている）をさらに含み、電源２４１３は、コネクタ２４３１、２４３２、２４３３、２４３４に電力を供給する。コネクタ２４３１、２４３２はまた、コネクタ１３１、１３２と同様に、コネクタ２４３１、２４３２が、Ｔ字形コネクタ１３６と同様にＴ字形コネクタ（例えば、デバイス２４０１内に埋め込まれ、したがって図２４では隠されている）から延びるので、破線で示されている。したがって、コネクタ２４３１、２４３２は、格納機構２４５２（図１７、図１８および図１９の格納機構１５２と同様または異なり得、格納機構２４５２がデバイス２４０１の内部に配置されるので破線で示される）に取り付けられ得る。したがって、コネクタ２４３１、２４３２は、格納式ケーブル１３５と同様に格納式ケーブル（例えば、デバイス２４０１内に格納され、したがって図２４では隠れている）を介して格納機構２４５２に取り付けられ得る。また、図２４には、Ｔ字形コネクタおよび／またはコネクタ２４３１、２４３２および／または格納式ケーブルを延長するためのハンドル２４４５、および格納機構２４５２にＴ字形コネクタおよび／またはコネクタ２４３１、２４３２および／または格納式ケーブルを格納させるためのボタン２４５５が示されている。
【０１４８】
図示のように、デバイス２４０１は、電源２４１３を例えばジャンクションボックス内の幹線電源に接続するためのコネクタ２４９８をさらに含む。コネクタ２４９８は、デバイス２４０１の上部に概略的に示されているが、コネクタ２４９８は、例えば、所与の管轄区域の所与の電気コードと互換性がある、任意の適切な場所で幹線電源に接続するための任意の適切なコネクタを含み得る。
【０１４９】
図示のように、デバイス２４０１は、コネクタ２４９８にも接続することができ、ＡＣ電力を介して動作する外部装置に電力を供給するために使用することができる少なくとも１つの電気取り出しコンセント２４９９をさらに含む。しかしながら、少なくとも１つの電気取り出しコンセント２４９９は、オプションであると理解される。
【０１５０】
さらに別の例では、デバイス２４０１は、電源２４１３（および／または少なくとも１つの電気取り出しコンセント２４９９）をオンおよびオフにするための１つ以上のスイッチ、１つ以上のヒューズ、バッテリ（本体２４１１内の格納機構２４５２に加えて提供されてもよい）などを含むがこれらに限定されない他のコンポーネントを含み得る。
【０１５１】
さらに別の例では、デバイス１０１は、ジャンクションボックスの外側（および／または壁の外側）での使用に適合させることができ、したがって、例えばスタンドアロンの充電デバイスおよび／または延長コードとして使用するための、電気取り出しコンセントに差し込むためのコードおよび／またはプラグを含むことができる。
【０１５２】
例えば、図２５に注目すると、図２５は、フェースプレート２５０３、フェースプレート２５０３の前部から膨らんだ本体２５１１、Ｔ字形コネクタ１３６と同様のＴ字形コネクタ２５３６、（およびコネクタ１３１、１３２と同様の２つのコネクタ）およびコネクタ１３３、１３４と同様の２つの電気コネクタ２５３３、２５３４を含むデバイス２５０１の正面斜視図を示している。デバイス２５０１はさらに、電気取り出しコンセント２５９９を含む。図示されていないが、デバイス２５０１の後側は、デバイス２５０１が壁の電気取り出しコンセントなどに差し込まれることを可能にするプラグの電気プロングを含み、その結果、デバイス２５０１の後側は、一般に、電気取り出しコンセントの前部とほぼ面一になる。  本体２５１１は、一般に、電源１１３と同様の電源、Ｔ字形コネクタ２５３６に接続された格納機構および格納式コード（例えば、格納機構１５２および格納式コード１３５と同様）、およびオプションでバッテリを含む。フェースプレート２５０３の電気回路はさらに、ＡＣ電力をデバイス２５０１の後側にあるプラグから電気取り出しコンセント２５９９にルーティングする。そのため、さもなければ壁の電気取り出しコンセントにプラグインするデバイスを、電気取り出しコンセント２５９９にプラグインできる。
【０１５３】
実際、本明細書に記載のデバイスは、他の管轄区域のために、他のフォームファクタで、および／または他のタイプの電気取り出しコンセントおよびデバイスとともに提供されてもよい。例えば、図２６Ａ、図２６Ｂ、図２６Ｃおよび図２６Ｄに注目すると、それらの各々は、各々デバイス２４００に類似し、それぞれの本体２６０３Ａ、２６０３Ｂ、２６０３Ｃ、２６０３Ｄ、それぞれ１つのコネクタ２６３１Ａ、２６３１Ｂ、２６３１Ｃ、２６３１Ｄ、およびそれぞれの電気取り出しコンセント２６９９Ａ、２６９９Ｂ、２６９９Ｃ、２６９９Ｄを含む、デバイス２６０１Ａ、２６０１Ｂ、２６０１Ｃ、２６０１Ｄのそれぞれの前側を示す。コネクタ２６３１Ａ、２６３１Ｂ、２６３１Ｃ、２６３１Ｄの各々は、コネクタ１３１、１３２、１３３、１３４のうちの１つ以上と同様であり得る。コネクタ２６３１Ａ、２６３１Ｂ、２６３１Ｃ、２６３１Ｄが延長可能であるとき、それぞれのデバイス２６０１Ａ、２６０１Ｂ、２６０１Ｃ、２６０１Ｄは、ボタン１５５と同様のボタンを含む。したがって、各本体２６０３Ａ、２６０３Ｂ、２６０３Ｃ、２６０３Ｄは、電源（例えば、電源１１３と同様であるが、それぞれの管轄区域のＡＣ主電圧に適合されている）を含み、コネクタ２６３１Ａ、２６３１Ｂ、２６３１Ｃ、２６３１Ｄが延長可能である場合、格納機構および格納式コード（例えば、格納機構１５２および／または格納式コード１３５と同様）を含む。それぞれの電気取り出しコンセント２６９９Ａ、２６９９Ｂ、それぞれの電気取り出しコンセント２６９９Ａ、２６９９Ｂ、２６９９Ｃ、２６９９Ｄは通常、特定の法域に適合しており、それぞれの本体の前側と面一（例えば、電気取り出しコンセント２６９９Ｃ）または凹んでいる場合がある（例えば、電気取り出しコンセント２６９９Ａ、２６９９Ｂ、２６９９Ｄ）。
【０１５４】
図２７Ａ、図２７Ｂ、図２７Ｃおよび図２７Ｄに注目すると、それらの各々は、各々デバイス２４００に類似し、それぞれの本体２７０３Ａ、２７０３Ｂ、２７０３Ｃ、２７０３Ｄ、１つ以上のそれぞれのコネクタ２７３１および１つ以上のそれぞれの電気取り出しコンセント２７９９を含む、デバイス２７０１Ａ、２７０１Ｂ、２７０１Ｃ、２７０１Ｄのそれぞれの前側を示す。コネクタ２７３１の各々は、コネクタ１３１、１３２、１３３、１３４のうちの１つ以上と同様であり得る。それぞれのデバイス２７０１Ａ、２７０１Ｂ、２７０１Ｃ、２７０１Ｄのコネクタ２７３１が延長可能であるとき、それぞれのデバイス２７０１Ａ、２７０１Ｂ、２７０１Ｃ、２７０１Ｄは、ボタン１５５と同様のボタンを含む。したがって、各本体２７０３Ａ、２７０３Ｂ、２７０３Ｃ、２７０３Ｄは、電源（例えば、電源１１３と同様であるが、それぞれの管轄区域のＡＣ主電源電圧に適合される）を含み、コネクタ２７３１Ａ、２７３１Ｂ、２７３１Ｃ、２７３１Ｄが延長可能であるとき、格納機構および格納式コード（例えば、格納機構１５２および／または格納式コード１３５と同様）を含む。
【０１５５】
特に、デバイス２７０１Ａは１つの電気取り出しコンセント２７９９を含み、デバイス２７０１Ｂ、２７０１Ｃは各々２つの電気取り出しコンセント２７９９を含み、デバイス２７０１Ｄは３つの電気取り出しコンセント２７９９を含む。すべての電気取り出しコンセント２７９９は同じタイプである。したがって、デバイス２７０１Ａ、２７０１Ｂ、２７０１Ｃ、２７０１Ｄの各々は、例えば異なるサイズのジャンクションボックスについて、所与の管轄区域で販売および／または提供され得るデバイスの異なる代替案を示す。言い換えれば、デバイス２７０１Ａ、２７０１Ｂ、２７０１Ｃ、２７０１Ｄの各々は、一般に、ジャンクションボックスに配線されることになる。デバイス２７０１Ａ、２７０１Ｂ、２７０１Ｃ、２７０１Ｄの各々は、１つ以上のそれぞれのスイッチ２７９８、例えば、各電気取り出しコンセント２７９９用の１つのスイッチ２７９８、それぞれの電気取り出しコンセント２７９９をオンおよびオフにするためのスイッチ２７９８をさらに含む。デバイス２７０１Ｂ、２７０１Ｃは、コネクタ２７３１およびスイッチ２７９８の配置以外は同様である。デバイス２７０１Ｄは、（例えば、デバイス２７０１Ｄ用のヒューズを含む）ヒューズボックス２７９７をさらに含む。
【０１５６】
確かに、図２６Ａ、図２６Ｂ、図２６Ｃ、図２６Ｄ、および図２７Ａ、図２７Ｂ、図２７Ｃ、図２７Ｄは、概して、本明細書で説明されるデバイスが様々な管轄区域に適合され得、および／または、スイッチ、ヒューズなどを含むがこれらに限定されない他のタイプの電気デバイスを組み込み得ることを示す。
【０１５７】
本明細書では、要素は、１つ以上の機能を実行するように「構成されている」またはそのような機能「用に構成されている」と説明することができる。一般に、機能を実行するように構成されているか、機能を実行するように構成されている要素は、機能を実行することが可能であるか、機能を実行するのに適しているか、機能を実行するように適合されているか、機能を実行するように動作可能であるか、そうでなければ機能を実行することができる。
【０１５８】
本明細書の目的のために、「Ｘ、Ｙ、およびＺのうちの少なくとも１つ」および「Ｘ、Ｙ、およびＺのうちの１つ以上」の用語は、Ｘのみ、Ｙのみ、Ｚのみ、または、２つ以上のアイテムＸ、Ｙ、およびＺの任意の組み合わせ（例えば、ＸＹＺ、ＸＹ、ＹＺ、ＸＺなど）として解釈され得ることが理解される。同様のロジックは、「少なくとも１つ」および「１つ以上」という用語が出現する２つ以上のアイテムに適用できる。
【０１５９】
「約」、「実質的に」、「本質的に」、「およそ」などの用語は、例えば、当業者によって理解されるように、「に近い」と定義される。一部の実施形態では、これらの用語は、「１０％以内」、他の実施形態では「５％以内」、さらに別の実施形態では「１％以内」、さらに別の実施形態では「０．５％以内」であると理解される。
【０１６０】
当業者は、一部の実施形態では、本明細書に記載のデバイスおよび／または方法および／またはプロセスの機能は、事前にプログラムされたハードウェアまたはファームウェア要素（例えば、特定用途向け集積回路（ＡＳＩＣ）、電気的に消去可能なプログラム可能な読み取り専用メモリ（ＥＥＰＲＯＭ）など）、またはその他の関連コンポーネントを使用して実装できることを理解するであろう。他の実施形態では、本明細書に記載のデバイスおよび／または方法および／またはプロセスの機能は、コンピューティングデバイスの動作のためのコンピュータ可読プログラムコードを格納するコードメモリ（図示せず）にアクセスするコンピューティングデバイスを使用して達成できる。コンピュータ可読プログラムコードは、これらのコンポーネント（例えば、取り外し可能なディスケット、ＣＤ−ＲＯＭ、ＲＯＭ、固定ディスク、ＵＳＢドライブ）によって直接固定され有形で読み取り可能なコンピュータ可読記憶媒体に格納することができる。さらに、コンピュータ可読プログラムは、コンピュータ使用可能媒体を含むコンピュータプログラム製品として格納できることが理解される。さらに、固定記憶デバイスは、コンピュータ可読プログラムコードを含むことができる。コンピュータ可読プログラムコードおよび／またはコンピュータ使用可能媒体は、非一時的コンピュータ可読プログラムコードおよび／または非一時的コンピュータ使用可能媒体を含むことができることがさらに理解される。代替として、コンピュータ可読プログラムコードは、リモートに格納できるが、伝送媒体を介してネットワーク（インターネットを含むがこれに限定されない）に接続されたモデムまたは他のインターフェースデバイスを介してこれらのコンポーネントに伝送できる。伝送媒体は、非移動媒体（例えば、光および／またはデジタルおよび／またはアナログ通信回線）または移動媒体（例えば、マイクロ波、赤外線、自由空間光または他の伝送方式）またはそれらの組み合わせのいずれかであり得る。
【０１６１】
当業者は、可能なさらなる代替実施形態および修正が存在すること、および上記の例は１つ以上の実施形態の単なる例示であることを理解するであろう。したがって、範囲は、本明細書に添付された請求項によってのみ制限されるべきである。
【図１】
2021518740.tif 000003
【図２】
2021518740.tif 000004
【図３】
2021518740.tif 000005
【図４】
2021518740.tif 000006
【図５】
2021518740.tif 000007
【図６】
2021518740.tif 000008
【図７】
2021518740.tif 000009
【図８】
2021518740.tif 000010
【図９】
2021518740.tif 000011
【図１０Ａ】
2021518740.tif 000012
【図１０Ｂ】
2021518740.tif 000013
【図１０Ｃ】
2021518740.tif 000014
【図１１】
2021518740.tif 000015
【図１２】
2021518740.tif 000016
【図１３Ａ】
2021518740.tif 000017
【図１３Ｂ】
2021518740.tif 000018
【図１４】
2021518740.tif 000019
【図１５】
2021518740.tif 000020
【図１６】
2021518740.tif 000021
【図１７】
2021518740.tif 000022
【図１８】
2021518740.tif 000023
【図１９Ａ】
2021518740.tif 000024
【図１９Ｂ】
2021518740.tif 000025
【図２０】
2021518740.tif 000026
【図２１】
2021518740.tif 000027
【図２２】
2021518740.tif 000028
【図２３Ａ】
2021518740.tif 000029
【図２３Ｂ】
2021518740.tif 000030
【図２４】
2021518740.tif 000031
【図２５】
2021518740.tif 000032
【図２６Ａ】
2021518740.tif 000033
【図２６Ｂ】
2021518740.tif 000034
【図２６Ｃ】
2021518740.tif 000035
【図２６Ｄ】
2021518740.tif 000036
【図２７Ａ】
2021518740.tif 000037
【図２７Ｂ】
2021518740.tif 000038
【図２７Ｃ】
2021518740.tif 000039
【図２７Ｄ】
2021518740.tif 000040
【国際調査報告】
2021518740.tif 000041
2021518740.tif 000042